(57)【特許請求の範囲】
【請求項１】
制御局と制御局に同期して動作する従属局との間で時分割多重通信による無線通信を行う無線通信装置からなるコードレス電話と無線ドアホンで構成される無線通信システムであって、
前記コードレス電話の制御局と前記無線ドアホンの制御局とのいずれか一方の制御局は、第１のタイムスロットを使用して他方の制御局及び前記従属局に制御信号を送信して前記他方の制御局及び前記従属局と無線通信を行い、前記他方の制御局は、前記第１のタイムスロットを使用して前記一方の制御局からの制御信号を受信すると共に、前記第１のタイムスロットとスロットタイミングの異なる第２のタイムスロットを使用して前記従属局に制御信号を送信して前記従属局と無線通信を行うように制御することを特徴とした無線通信システム。
【請求項２】
前記他方の制御局は、前記一方の制御局からの制御信号を所定の期間内に受信できない場合、任意の１つのタイムスロットを選択し、前記選択したタイムスロットを使用して前記従属局に制御信号を送信して前記従属局と無線通信を行うように制御することを特徴とした請求項１の無線通信システム。
【請求項３】
前記無線ドアホンの制御局及び前記コードレス電話の制御局は登録操作のための入力手段を備え、前記他方の制御局を前記一方の制御局の従属局として登録することにより、従属局として登録された前記他方の制御局が前記第１のタイムスロットを使用して前記一方の制御局からの制御信号を受信すると共に、前記第１のタイムスロットとスロットタイミングの異なる第２のタイムスロットを使用して前記従属局に制御信号を送信して前記従属局と無線通信を行うように制御することを特徴とした請求項１又は請求項２の無線通信システム。
【請求項４】
時分割多重通信を行い、制御局は時分割多重の時間の基準となる制御信号を送信し、従属局は前記制御信号を受信して制御局との時分割多重の時間同期を行い、制御局と従属局間で無線通信を行う無線通信装置からなるコードレス電話と無線ドアホンで構成される無線通信システムであって、
前記コードレス電話の制御局は、無線信号の送信を行う送信部と、無線信号の受信を行う受信部と、送受信信号の時分割多重制御を行うフレーム処理部と、装置全体を制御する制御部を備え、
前記無線ドアホンの制御局は、無線信号の送信を行う送信部と、無線信号の受信を行う受信部と、送受信信号の時分割多重制御を行うフレーム処理部と、装置全体を制御する制御部を備え、
前記いずれか一方の制御部は自らのタイミングで動作する主制御局としての制御を行い、前記主制御局のフレーム処理部は自らのタイミングで制御信号を送信するよう動作し、
他方の制御部は前記主制御局が送信する制御信号を受信し主制御局のタイミングで動作し主制御局との無線通信を行う従属局としての制御を行うと共に前記主制御局が送信する制御信号の受信タイミングで動作する副制御局としての制御を行い、前記副制御局のフレーム処理部は前記主制御局が送信する制御信号の受信タイミングに応じて制御信号を送信するよう動作することを特徴とした請求項１〜請求項３の無線通信システム。
【請求項５】
制御局と制御局に同期して動作する従属局との間で時分割多重通信による無線通信を行う無線通信装置からなるコードレス電話と無線ドアホンで構成される無線通信システムであって、
前記コードレス電話の制御局と前記無線ドアホンの制御局とのいずれか一方の制御局は、第１のタイムスロットを使用して他方の制御局及び前記従属局に制御信号を送信して前記他方の制御局及び前記従属局と無線通信を行い、前記他方の制御局は、前記第１のタイムスロットを使用して前記一方の制御局からの制御信号を受信すると共に、前記第１のタイムスロットとスロットタイミングの異なる第２のタイムスロットを使用して前記従属局に制御信号を送信して前記従属局と無線通信を行い、
前記従属局は、前記第１のタイムスロットを使用して前記一方の制御局からの制御信号を受信し、前記第２のタイムスロットを使用して前記他方の制御局からの制御信号を受信することを特徴とした無線通信システム。
【請求項６】
時分割多重通信を行い、制御局は時分割多重の時間の基準となる制御信号を送信し、従属局は前記制御信号を受信して制御局との時分割多重の時間同期を行い、制御局と従属局間で無線通信を行う無線通信装置からなるコードレス電話と無線ドアホンで構成される無線通信システムであって、
前記コードレス電話の制御局は、無線信号の送信を行う送信部と、無線信号の受信を行う受信部と、送受信信号の時分割多重制御を行うフレーム処理部と、装置全体を制御する制御部を備え、
前記無線ドアホンの制御局は、無線信号の送信を行う送信部と、無線信号の受信を行う受信部と、送受信信号の時分割多重制御を行うフレーム処理部と、装置全体を制御する制御部を備え、
前記コードレス電話の制御局及び前記無線ドアホンの制御局の従属局として動作する従属局は、無線信号の送信を行う送信部と、送受信信号の時分割多重制御を行うフレーム処理部と、無線信号の受信を行う受信部と、装置全体を制御する制御部を備え、
前記いずれか一方の制御部は自らのタイミングで動作する主制御局としての制御を行い、
前記主制御局のフレーム処理部は自らのタイミングで制御信号を送信するよう動作し、
他方の制御部は前記主制御局が送信する制御信号を受信し主制御局のタイミングで動作し主制御局との無線通信を行う従属局としての制御を行うと共に前記主制御局が送信する制御信号の受信タイミングで動作する副制御局としての制御を行い、前記副制御局のフレーム処理部は前記主制御局が送信する制御信号の受信タイミングに応じて制御信号を送信するよう動作し、
前記従属局の制御部は前記主制御局及び前記副制御局が送信する制御信号を受信し、前記主制御局又は前記副制御局と前記従属局が無線通信を行う際、前記従属局のフレーム処理部は無線通信を行う前記主制御局又は前記副制御局が送信する制御信号の受信タイミングに応じて送受信信号の時分割多重制御を行うように動作することを特徴とした請求項５の無線通信システム。
【請求項７】
前記従属局は、呼出を通知する報知部と、呼出に応答するための入力手段を備え、
前記主制御局又は副制御局から呼出信号を受信すると、前記従属局の制御部は、前記報知部より主制御局又は副制御局からの呼出を報知するよう制御を行い、前記入力手段より呼出に対する応答操作がなされると、呼出信号を送信した主制御局又は副制御局と直接無線通信を行うよう制御することを特徴とした請求項５又は請求項６の無線通信システム。
【請求項８】
制御局と制御局に同期して動作する従属局との間で時分割多重通信による無線通信を行う無線通信装置からなるコードレス電話と無線ドアホンで構成される無線通信システムの通信方式であって、
前記コードレス電話の制御局は、制御局として動作し従属局と通信を行うステップを備え、
前記無線ドアホンの制御局は、制御局として動作し従属局と通信を行うステップを備え、
前記コードレス電話の制御局と前記無線ドアホンの制御局とのいずれか一方の制御局は、第１のタイムスロットを使用して他方の制御局及び前記従属局に制御信号を送信して前記他方の制御局及び前記従属局と無線通信を行い、前記他方の制御局は、前記第１のタイムスロットを使用して前記一方の制御局からの制御信号を受信すると共に、前記第１のタイムスロットとスロットタイミングの異なる第２のタイムスロットを使用して前記従属局に制御信号を送信して前記従属局と無線通信を行うステップを備えたことを特徴とした通信方式。
【請求項９】
前記他方の制御局は、前記一方の制御局からの制御信号を所定の期間内に受信できない場合、任意の１つのタイムスロットを選択し、前記選択したタイムスロットを使用して前記従属局に制御信号を送信して前記従属局と無線通信を行うステップを備えたことを特徴とした請求項８の通信方式。
【請求項１０】
前記無線ドアホンの制御局及び前記コードレス電話の制御局は登録操作を行うステップを備え、前記他方の制御局を前記一方の制御局の従属局として登録する前記ステップの後に、従属局として登録された前記他方の制御局が前記第１のタイムスロットを使用して前記一方の制御局からの制御信号を受信すると共に、前記第１のタイムスロットとスロットタイミングの異なる第２のタイムスロットを使用して前記従属局に制御信号を送信して前記従属局と無線通信を行うステップを備えたことを特徴とした請求項８又は請求項９の通信方式。
【請求項１１】
時分割多重通信を行い、制御局は時分割多重の時間の基準となる制御信号を送信し、従属局は前記制御信号を受信して制御局との時分割多重の時間同期を行い、制御局と従属局間で無線通信を行う無線通信装置からなるコードレス電話と無線ドアホンで構成される無線通信システムの通信方式であって、
前記コードレス電話の制御局は、制御局として動作し従属局と通信を行うステップと、送受信信号の時分割多重制御を行うステップを備え、
前記無線ドアホンの制御局は、制御局として動作し従属局と通信を行うステップと、送受信信号の時分割多重制御を行うステップを備え、
前記いずれか一方は自らのタイミングで制御信号を送信するステップを備え、
他方は、前記制御信号を受信するステップと、前記受信した制御信号の受信タイミングに応じて制御信号を送信するステップを備えたことを特徴とした請求項８〜請求項１０の通信方式。
【請求項１２】
制御局と制御局に同期して動作する従属局との間で時分割多重通信による無線通信を行う無線通信装置からなるコードレス電話と無線ドアホンで構成される無線通信システムの通信方式であって、
前記コードレス電話の制御局は、制御局として動作し従属局と通信を行うステップを備え、
前記無線ドアホンの制御局は、制御局として動作し従属局と通信を行うステップを備え、
前記コードレス電話の制御局及び前記無線ドアホンの制御局の従属局として動作する従属局は、従属局として動作し前記コードレス電話の制御局及び前記無線ドアホンの制御局と通信を行うステップを備え、
前記コードレス電話の制御局と前記無線ドアホンの制御局とのいずれか一方の制御局は、第１のタイムスロットを使用して他方の制御局及び前記従属局に制御信号を送信して前記他方の制御局及び前記従属局と無線通信を行い、前記他方の制御局は、前記第１のタイムスロットを使用して前記一方の制御局からの制御信号を受信すると共に、前記第１のタイムスロットとスロットタイミングの異なる第２のタイムスロットを使用して前記従属局に制御信号を送信して前記従属局と無線通信を行い、前記従属局は、前記第１のタイムスロットを使用して前記一方の制御局からの制御信号を受信し、前記第２のタイムスロットを使用して前記他方の制御局からの制御信号を受信するステップを備えたことを特徴とした通信方式。
【請求項１３】
時分割多重通信を行い、制御局は時分割多重の時間の基準となる制御信号を送信し、従属局は前記制御信号を受信して制御局との時分割多重の時間同期を行い、制御局と従属局間で無線通信を行う無線通信装置からなるコードレス電話と無線ドアホンで構成される無線通信システムの通信方式であって、前記コードレス電話の制御局は、制御局として動作し従属局と通信を行うステップと、送受信信号の時分割多重制御を行うステップを備え、前記無線ドアホンの制御局は、制御局として動作し従属局と通信を行うステップと、送受信信号の時分割多重制御を行うステップを備え、前記いずれか一方は自らのタイミングで制御信号を送信するステップを備え、他方は、前記制御信号を受信するステップと、前記受信した制御信号の受信タイミングに応じて制御信号を送信するステップを備え、前記コードレス電話の制御局及び前記無線ドアホンの制御局の従属局として動作する従属局は、前記コードレス電話の制御局及び前記無線ドアホンの制御局が送信する前記制御信号を受信するステップと、前記主制御局又は前記副制御局と前記従属局が無線通信を行う際、前記従属局は無線通信を行う前記主制御局又は前記副制御局が送信する制御信号の受信タイミングに応じて送受信信号の時分割多重制御を行うようにステップを備えたことを特徴とした請求項１２の通信方式。
【請求項１４】
前記従属局は、前記主制御局又は副制御局から呼出信号を受信すると主制御局又は副制御局からの呼出を報知するステップと、呼出中の応答操作によって呼出信号を送信した主制御局又は副制御局と直接無線通信を開始するステップを備えたことを特徴とした請求項１２又は請求項１３の通信方式。
【発明の詳細な説明】
【技術分野】
【０００１】
本発明は、制御局と従属局とが時分割多重で通信を行う無線通信システムおよびその通信方法に関するものである。
【背景技術】
【０００２】
近年、無線技術の発展がめざましく、無線通信装置の小型、軽量化、低価格化が進み、一般家庭で利用されるような通信装置においても無線通信を利用した無線通信装置が広く普及している。
【０００３】
例えば、家庭内で用いられる代表的な無線通信装置は、コードレス電話であり、このような、コードレス電話は、公衆回線と接続された親機と１台以上の子機で構成され、親機、子機間は無線通信よって接続されており、使用者は、子機を自由に持ち運びが可能であり、利便性が高い。
【０００４】
一方、玄関に設置された玄関子機の呼出ボタンが押されると、室内に設けられた室内親機より、報知音がなり、室内親機の応答ボタンを押すことにより、玄関子機との通話、即ち、来客者との通話が可能なドアホンも広く普及している。
【０００５】
このドアホンの利便性を高めるため、ドアホンとコードレス電話を直接、或いは、中継機を介して接続し、コードレス電話でドアホンの対応ができるシステムが実用化されており、そのような装置では、ドアホンの玄関子機の呼出ボタンが押されると、室内親機より、コードレス電話の親機に来客の通知がなされ、コードレス電話の親機、子機で、ドアホンの着信（来客）の報知がなされる。そして、コードレス電話の親機、子機で応答すると、玄関子機との音声パスが接続され、コードレス電話の親機又は子機と玄関子機との通話、即ち、来客者との通話が可能となる。
【０００６】
又、更に、上記コードレス電話とドアホンの接続において、設置の際の利便性を向上させるために、コードレス電話とドアホン間の接続を無線によって接続する技術が特許文献１に述べられている。
【０００７】
特許文献１によるコードレス電話とドアホンとで構成されるコードレスドアホンシステムは、呼出ボタンとワイヤレス送受信部とを設けたドアホンと、ドアホンからの呼出信号を電波信号の形で受け、ドアホンとの間で通話を可能としたワイヤレス送受信部を設けたコードレス電話とを組み合わせて構成され、ドアホンからの呼出信号を電波信号の形で受け、ドアホンとコードレス電話親機、子機の間で通話を可能としている。即ち、ドアホンの呼出ボタンが押されると、無線通信により、コードレス電話親機に通知され、内線呼出と同様にしてコードレス電話親機、子機でドアホンからの呼出が報知される。そしてコードレス電話親機、子機で応答すると、ドアホンとの音声信号或いは玄関子機で撮影された画像信号を送るための無線リンクを確立し、コードレス電話親機、子機でドアホン側からの呼出に対する応答が可能となっている。
【特許文献１】特開平１１−１３６３７３号公報
【発明の開示】
【発明が解決しようとする課題】
【０００８】
しかしながら、上記特許文献１のコードレス電話とドアホンを無線で接続した無線通信システムでは、コードレス電話の無線通信機能を用いてドアホンからの呼出をコードレス電話の親機や子機で対応可能としているため、ドアホンの呼出に応答するための端末装置が、コードレス電話の親機、子機であるため、コードレス電話を自由に買い替えができないという不便さを有していた。
【０００９】
又、コードレス電話が外線通話や内線通話等でビジー状態の時、ドアホン側からの着信が報知できないという問題点を有していた。
【００１０】
又、コードレス電話子機でドアホンと通信する場合、ドアホンとコードレスレス電話親機を無線接続し、コードレスレス電話親機とコードレス電話子機を無線接続することによりコードレス電話子機でドアホンと通信を行うため、コードレス電話子機でドアホンとで通信をするために、無線リソースが２つ必要であり、無線リソースの不足で通信ができない危険が増すという課題とそれぞれの無線通信で無線エラーによる通信品質の低下が発生し、ドアホンとコードレス電話子機間の通信品質が劣化しやすいという課題を有していた。
【００１１】
本発明は、上記課題を省みて、無線ドアホンとコードレス電話を無線で接続する無線通信システムにおいて、無線回路の規模を複雑にすることなく無線ドアホンとコードレス電話がそれぞれ単独でも動作可能で、コードレス電話の外線通信や内線通信と無線ドアホンの呼出が同時に発生した場合でも、無線リソース不足によるビジー状態の発生を低減し、又、それぞれの呼出の報知が可能で、従属局がいずれの制御局と通信する場合も通信品質の劣化を低減する無線通信システムおよびその通信方式の提供を目的とする。
【課題を解決するための手段】
【００１２】
上記目的を達成するために、本発明においては、制御局と制御局に同期して動作する従属局との間で時分割多重通信による無線通信を行う無線通信装置からなるコードレス電話と無線ドアホンで構成される無線通信システムであって、前記コードレス電話の制御局と前記無線ドアホンの制御局とのいずれか一方の制御局は、第１のタイムスロットを使用して他方の制御局及び前記従属局に制御信号を送信して前記他方の制御局及び前記従属局と無線通信を行い、前記他方の制御局は、前記第１のタイムスロットを使用して前記一方の制御局からの制御信号を受信すると共に、前記第１のタイムスロットとスロットタイミングの異なる第２のタイムスロットを使用して前記従属局に制御信号を送信して前記従属局と無線通信を行うように制御することを特徴としている。
【発明の効果】
【００１３】
本発明の無線通信システムおよびその通信方式は、時分割多重通信を用いて無線ドアホンの制御局とコードレス電話の制御局のいずれか一方が制御局として動作すると同時に、他方の従属局として動作し、無線ドアホンの制御局とコードレス電話の制御局とが無線通信を行うものであり、１つの無線回路にて制御局として動作すると共に従属局として動作することにより無線回路の規模を複雑にすることなく無線ドアホンとコードレス電話の無線通信装置間の通信が可能となり、また、無線ドアホン又はコードレス電話単独でも動作可能となる利点を有する。
【００１４】
又、更に、無線ドアホン及びコードレス電話の従属局は、それぞれの制御局の受信を行い、無線ドアホン又はコードレス電話の制御局と従属局が通信を行う場合、各々の制御局と従属局が直接通信を行うことにより、コードレス電話の外線通信や内線通信と無線ドアホンの呼出が同時に発生した場合の無線リソース不足によるビジー状態の発生を低減し、又、それぞれの呼出を報知することが可能となる利点と、無線ドアホン又はコードレス電話の制御局と従属局が通信を行う場合の通信品質の劣化を低減できるという利点を有する。
【発明を実施するための最良の形態】
【００１５】
本発明は、無線ドアホンとコードレス電話を無線で接続する無線通信システムにおいて、無線回路の規模を複雑にすることなく無線ドアホンとコードレス電話がそれぞれ単独でも動作可能するという目的を、時分割多重通信を用いて制御局と従属局が無線通信を行う無線通信装置によりコードレス電話と無線ドアホンを構成し、各々の制御局は制御局として動作し、従属局との無線通信を行うと共に、各々の制御局の一方が他方の従属局として動作し、各々の制御局間で無線通信を行うことにより実現した。
【００１６】
又、コードレス電話の外線通信や内線通信と無線ドアホンの呼出が同時に発生した場合の無線リソース不足によるビジー状態の発生を低減するという目的、及び、それぞれの呼出の報知が可能で、従属局がいずれの制御局と通信する場合も通信品質の劣化を低減するという目的を、無線ドアホン及びコードレス電話の従属局は、それぞれの制御局の受信を行い、無線ドアホン又はコードレス電話の制御局と従属局が通信を行う場合、各々の制御局と従属局が直接通信を行うことにより実現した。
【００１７】
上記課題を解決するためになされた第１の発明は、制御局と制御局に同期して動作する従属局との間で時分割多重通信による無線通信を行う無線通信装置からなるコードレス電話と無線ドアホンで構成される無線通信システムであって、コードレス電話の制御局と無線ドアホンの制御局とのいずれか一方の制御局は、第１のタイムスロットを使用して他方の制御局及び従属局に制御信号を送信して他方の制御局及び従属局と無線通信を行い、他方の制御局は、第１のタイムスロットを使用して一方の制御局からの制御信号を受信すると共に、第１のタイムスロットとスロットタイミングの異なる第２のタイムスロットを使用して従属局に制御信号を送信して従属局と無線通信を行うように制御することを特徴としたものである。
【００１８】
時分割多重で通信を行い、コードレス電話の制御局、無線ドアホンの制御局は、一方が他方の従属局として動作することにより、コードレス電話の制御局と無線ドアホンの制御局間の無線通信を行い、又、コードレス電話の制御局、無線ドアホンの制御局は自己の従属局との無線通信を行ので、無線回路の規模を複雑にすることなく無線ドアホンとコードレス電話間で無線通信による通信が可能となり、また、無線ドアホン、コードレス電話単独でも動作が可能となる効果を有する。
【００１９】
上記課題を解決するためになされた第２の発明は、他方の制御局は、一方の制御局からの制御信号を所定の期間内に受信できない場合、任意の１つのタイムスロットを選択し、選択したタイムスロットを使用して従属局に制御信号を送信して従属局と無線通信を行うように制御することを特徴としたものである。
【００２０】
副制御局は、主制御局が送信する無線信号が受信できない場合、主制御局として動作することにより、使用者が、本発明のコードレス電話と無線ドアホンの無線通信システムから主制御局として動作する無線通信装置を他の本発発明以外の無線通信装置に交換した場合、副制御局は、自動で主制御局として動作し、単独動作が可能となるので、使用者が無線通信装置を買い替える場合等の制約がなくなり、利便性を向上することが可能となる。又、この時、主制御局の動作に切替えた旧副制御局は、副制御局として動作していた再に主制御局の受信のために動作していた区間も、主制御局としての動作、即ち、自らの持続局との無線通信に使用可能となり、時分割通信におけるスロットの有効活用が可能となる効果を有する。
【００２１】
上記課題を解決するためになされた第３の発明は、無線ドアホンの制御局及びコードレス電話の制御局は登録操作のための入力手段を備え、他方の制御局を一方の制御局の従属局として登録することにより、従属局として登録された他方の制御局が第１のタイムスロットを使用して一方の制御局からの制御信号を受信すると共に、第１のタイムスロットとスロットタイミングの異なる第２のタイムスロットを使用して従属局に制御信号を送信して従属局と無線通信を行うように制御することを特徴としたものである。
【００２２】
一方の制御局を他方の従属局として登録することによって従属局として登録を行った制御局が副制御局としての動作を行うようにしたことにより、登録を行い特定のコードレス電話と無線ドアホンを関連付け、又、未登録状態、即ち、登録前や解除によりコードレス電話と無線ドアホンがそれぞれ単独で動作することができ、コードレス電話の親機（制御局）に子機（従属局）を登録する時の操作と同等の簡単な操作で、コードレス電話と無線ドアホンの制御局の関連付けを行え、使用者がコードレス電話と無線ドアホンの一方のみを購入し、後から、他方を買い足す場合や、コードレス電話と無線ドアホンの一方が故障し、買い替えた場合等、無線通信システムの拡張が自由に行え、利便性が向上する効果を有する。又、コードレス電話又は無線ドアホンを単独で使用する場合は、未登録状態とすることにより単独の無線通信システムとして動作するので、主制御局の受信を行う副制御局としての動作を行わないので、無駄な動作がなくなり、電源ＯＮ時の起動が迅速になるという効果を有する。
【００２３】
上記課題を解決するためになされた第４の発明は、時分割多重通信を行い、制御局は時分割多重の時間の基準となる制御信号を送信し、従属局は制御信号を受信して制御局との時分割多重の時間同期を行い、制御局と従属局間で無線通信を行う無線通信装置からなるコードレス電話と無線ドアホンで構成される無線通信システムであって、コードレス電話の制御局は、無線信号の送信を行う送信部と、無線信号の受信を行う受信部と、送受信信号の時分割多重制御を行うフレーム処理部と、装置全体を制御する制御部を備え、無線ドアホンの制御局は、無線信号の送信を行う送信部と、無線信号の受信を行う受信部と、送受信信号の時分割多重制御を行うフレーム処理部と、装置全体を制御する制御部を備え、いずれか一方の制御部は自らのタイミングで動作する主制御局としての制御を行い、主制御局のフレーム処理部は自らのタイミングで制御信号を送信するよう動作し、他方の制御部は主制御局が送信する制御信号を受信し主制御局のタイミングで動作し主制御局との無線通信を行う従属局としての制御を行うと共に主制御局が送信する制御信号の受信タイミングで動作する副制御局としての制御を行い、副制御局のフレーム処理部は主制御局が送信する制御信号の受信タイミングに応じて制御信号を送信するよう動作することを特徴としたものである。
【００２４】
コードレス電話の制御局及び無線ドアホンの制御局は、一方が他方の従属局として動作すると共に時分割多重のための制御信号を送信し、且つ、他方の従属局として動作する副制御局は、主制御局が送信する制御信号のタイミングを元に時分割多重のための制御信号を送信するようにしたので、主制御局と副制御局の制御信号の送信タイミングを時分割多重の最適な時間関係に配置することが可能となり、時分割通信におけるスロットの有効活用が可能となる効果を有する。
【００２５】
上記課題を解決するためになされた第５の発明は、制御局と制御局に同期して動作する従属局との間で時分割多重通信による無線通信を行う無線通信装置からなるコードレス電話と無線ドアホンで構成される無線通信システムであって、コードレス電話の制御局と無線ドアホンの制御局とのいずれか一方の制御局は、第１のタイムスロットを使用して他方の制御局及び従属局に制御信号を送信して他方の制御局及び従属局と無線通信を行い、他方の制御局は、第１のタイムスロットを使用して一方の制御局からの制御信号を受信すると共に、第１のタイムスロットとスロットタイミングの異なる第２のタイムスロットを使用して従属局に制御信号を送信して従属局と無線通信を行い、従属局は、第１のタイムスロットを使用して一方の制御局からの制御信号を受信し、第２のタイムスロットを使用して他方の制御局からの制御信号を受信することを特徴としたものである。
【００２６】
コードレス電話の制御局及び無線ドアホンの制御局は、一方が他方の従属局として動作し、且つ、コードレス電話と無線ドアホンの従属局はそれぞれの制御局の従属局として動作し、コードレス電話の制御局と無線ドアホンの制御局間、コードレス電話の制御局と従属局間、及び、無線ドアホンの制御局と従属局間がそれぞれ独立に無線通信で通信可能となり、利便性が向上する。又、従属局はコードレス電話の従属局として、又、無線ドアホンの従属局として使用可能であるため、コードレス電話と無線ドアホンを設置する場合、１つの従属局となる無線通信装置で、両方の制御局との通信が可能となり、利便性が向上すると共に、コードレス電話と無線ドアホンからなる無線通信システムを低価格で提供可能となる利点を有する。又、コードレス電話の制御局と従属局のみ、或いは、無線ドアホンの制御局と従属局のみでも動作可能であり、電話、或いは、ドアホンを他の機器に交換した場合でも、残ったコードレス電話の制御局と従属局、或いは、無線ドアホンの制御局と従属局が、単独で動作可能であり、無線通信システムの一部の買い替え等による無駄がなくなるという効果を有する。
【００２７】
上記課題を解決するためになされた第６の発明は、時分割多重通信を行い、制御局は時分割多重の時間の基準となる制御信号を送信し、従属局は制御信号を受信して制御局との時分割多重の時間同期を行い、制御局と従属局間で無線通信を行う無線通信装置からなるコードレス電話と無線ドアホンで構成される無線通信システムであって、コードレス電話の制御局は、無線信号の送信を行う送信部と、無線信号の受信を行う受信部と、送受信信号の時分割多重制御を行うフレーム処理部と、装置全体を制御する制御部を備え、無線ドアホンの制御局は、無線信号の送信を行う送信部と、無線信号の受信を行う受信部と、送受信信号の時分割多重制御を行うフレーム処理部と、装置全体を制御する制御部を備え、コードレス電話の制御局及び無線ドアホンの制御局の従属局として動作する従属局は、無線信号の送信を行う送信部と、送受信信号の時分割多重制御を行うフレーム処理部と、無線信号の受信を行う受信部と、装置全体を制御する制御部を備え、いずれか一方の制御部は自らのタイミングで動作する主制御局としての制御を行い、主制御局のフレーム処理部は自らのタイミングで制御信号を送信するよう動作し、他方の制御部は主制御局が送信する制御信号を受信し主制御局のタイミングで動作し主制御局との無線通信を行う従属局としての制御を行うと共に主制御局が送信する制御信号の受信タイミングで動作する副制御局としての制御を行い、副制御局のフレーム処理部は主制御局が送信する制御信号の受信タイミングに応じて制御信号を送信するよう動作し、従属局の制御部は主制御局及び副制御局が送信する制御信号を受信し、主制御局又は副制御局と従属局が無線通信を行う際、従属局のフレーム処理部は無線通信を行う主制御局又は副制御局が送信する制御信号の受信タイミングに応じて送受信信号の時分割多重制御を行うように動作することを特徴としたものである。
【００２８】
コードレス電話の制御局及び無線ドアホンの制御局は、一方が他方の従属局として動作すると共に時分割多重のための制御信号を送信し、且つ、他方の従属局として動作する副制御局は、主制御局が送信する制御信号のタイミングを元に時分割多重のための制御信号を送信し、従属局はそれぞれの制御局が送信する制御信号の受信タイミングに応じて動作するようにしたので、主制御局と副制御局の制御信号の送信タイミングを重ならないよう配置することにより、従属局において、１つの無線回路で、コードレス電話の制御局及び無線ドアホンの制御局が送信する制御信号を受信可能となり、従属局の回路構成を簡略化でき、低価格で無線通信システムの提供が可能となる効果を有する。
【００２９】
上記課題を解決するためになされた第７の発明は、従属局は、呼出を通知する報知部と、呼出に応答するための入力手段を備え、主制御局又は副制御局から呼出信号を受信すると、従属局の制御部は、報知部より主制御局又は副制御局からの呼出を報知するよう制御を行い、入力手段より呼出に対する応答操作がなされると、呼出信号を送信した主制御局又は副制御局と直接無線通信を行うよう制御することを特徴としたものである。
【００３０】
従属局が、制御局からの呼出信号を受信すると報知部にて表示を行うようにしたので、コードレス電話の制御局、又は、無線ドアホンの制御局からの呼出に応じて、例えば、コードレス電話の制御局からの呼出時は発信者の電話番号を表示してコードレス電話の着信を通知し、無線ドアホンの制御局からの呼出時は来訪者の画像を表示して無線ドアホンからの呼出を通知するなどすることにより、利便性を向上することが可能となる。又、コードレス電話の制御局と無線ドアホンの制御局とから同時に呼出が発生した場合も、両方の呼出を表示することにより更に利便性を高めることが可能となる。又、呼出に対し応答操作を行った場合、使用者が選択した呼出信号を送信したコードレス電話の制御局、又は、無線ドアホンの制御局と従属局が直接無線通信を行うよう動作するので、従属局が制御局と通信を行う場合、制御局間の無線通信が行われないので、制御局間を無線通信を接続し、従属局と制御局間の通信を他の制御局が無線で中継して通信する場合に比べ、必要となる無線通信路が少なくて済み、無線通信路で発生する通信エラーによる通信品質の劣化や、無線リソースの不足による通信ビジーの発生を低減することが可能となる。又、呼出に対し応答操作を行った場合、使用者が選択した呼出信号を送信したコードレス電話の制御局、又は、無線ドアホンの制御局と従属局が直接無線通信を行うよう動作するので、他方の動作状態に関係なく使用者が選択した呼出信号を送信したコードレス電話の制御局、又は、無線ドアホンの制御局と従属局が無線接続可能となり、例えば、他の使用者がコードレス電話の外線通信や内線通信でコードレス電話を使用中に無線ドアホンの呼出が発生し、使用者が従属局より無線ドアホンに応答しようとする場合、コードレス電話の制御局の無線リソースの不足により、無線ドアホンへの応答ができなくなるといったような他の制御局の動作状態に起因した無線リソースの不足による通信ビジーの発生を低減することが可能となる。
【００３１】
上記課題を解決するためになされた第８の発明は、制御局と制御局に同期して動作する従属局との間で時分割多重通信による無線通信を行う無線通信装置からなるコードレス電話と無線ドアホンで構成される無線通信システムの通信方式であって、コードレス電話の制御局は、制御局として動作し従属局と通信を行うステップを備え、無線ドアホンの制御局は、制御局として動作し従属局と通信を行うステップを備え、コードレス電話の制御局と無線ドアホンの制御局とのいずれか一方の制御局は、第１のタイムスロットを使用して他方の制御局及び従属局に制御信号を送信して他方の制御局及び従属局と無線通信を行い、他方の制御局は、第１のタイムスロットを使用して一方の制御局からの制御信号を受信すると共に、第１のタイムスロットとスロットタイミングの異なる第２のタイムスロットを使用して従属局に制御信号を送信して従属局と無線通信を行うステップを備えたことを特徴としたものである。
【００３２】
時分割多重で通信を行い、コードレス電話の制御局、無線ドアホンの制御局は、一方が他方の従属局として動作することにより、コードレス電話の制御局と無線ドアホンの制御局間の無線通信を行い、又、コードレス電話の制御局、無線ドアホンの制御局は自己の従属局との無線通信を行ので、無線回路の規模を複雑にすることなく無線ドアホンとコードレス電話間で無線通信による通信が可能となり、また、無線ドアホン、コードレス電話単独でも動作が可能となる効果を有する。
【００３３】
上記課題を解決するためになされた第９の発明は、他方の制御局は、一方の制御局からの制御信号を所定の期間内に受信できない場合、任意の１つのタイムスロットを選択し、選択したタイムスロットを使用して従属局に制御信号を送信して従属局と無線通信を行うステップを備えたことを特徴としたものである。
【００３４】
副制御局は、主制御局が送信する無線信号が受信できない場合、主制御局として動作することにより、使用者が、本発明のコードレス電話と無線ドアホンの無線通信システムから主制御局として動作する無線通信装置を他の本発発明以外の無線通信装置に交換した場合、副制御局は、自動で主制御局として動作し、単独動作が可能となるので、使用者が無線通信装置を買い替える場合等の制約がなくなり、利便性を向上することが可能となる。又、この時、主制御局の動作に切替えた旧副制御局は、副制御局として動作していた再に主制御局の受信のために動作していた区間も、主制御局としての動作、即ち、自らの持続局との無線通信に使用可能となり、時分割通信におけるスロットの有効活用が可能となる効果を有する。
【００３５】
上記課題を解決するためになされた第１０の発明は、無線ドアホンの制御局及び前記コードレス電話の制御局は登録操作を行うステップを備え、他方の制御局を一方の制御局の従属局として登録するステップの後に、従属局として登録された他方の制御局が第１のタイムスロットを使用して一方の制御局からの制御信号を受信すると共に、第１のタイムスロットとスロットタイミングの異なる第２のタイムスロットを使用して従属局に制御信号を送信して従属局と無線通信を行うステップを備えたことを特徴としたものである。
【００３６】
一方の制御局を他方の従属局として登録することによって従属局として登録を行った制御局が副制御局としての動作を行うようにしたことにより、登録を行い特定のコードレス電話と無線ドアホンを関連付け、又、未登録状態、即ち、登録前や解除によりコードレス電話と無線ドアホンがそれぞれ単独で動作することができ、コードレス電話の親機（制御局）に子機（従属局）を登録する時の操作と同等の簡単な操作で、コードレス電話と無線ドアホンの制御局の関連付けを行え、使用者がコードレス電話と無線ドアホンの一方のみを購入し、後から、他方を買い足す場合や、コードレス電話と無線ドアホンの一方が故障し、買い替えた場合等、無線通信システムの拡張が自由に行え、利便性が向上する効果を有する。又、コードレス電話又は無線ドアホンを単独で使用する場合は、未登録状態とすることにより単独の無線通信システムとして動作するので、主制御局の受信を行う副制御局としての動作を行わないので、無駄な動作がなくなり、電源ＯＮ時の起動が迅速になるという効果を有する。
【００３７】
上記課題を解決するためになされた第１１の発明は、時分割多重通信を行い、制御局は時分割多重の時間の基準となる制御信号を送信し、従属局は制御信号を受信して制御局との時分割多重の時間同期を行い、制御局と従属局間で無線通信を行う無線通信装置からなるコードレス電話と無線ドアホンで構成される無線通信システムの通信方式であって、コードレス電話の制御局は、制御局として動作し従属局と通信を行うステップと、送受信信号の時分割多重制御を行うステップを備え、無線ドアホンの制御局は、制御局として動作し従属局と通信を行うステップと、送受信信号の時分割多重制御を行うステップを備え、いずれか一方は自らのタイミングで制御信号を送信するステップを備え、他方は、制御信号を受信するステップと、受信した制御信号の受信タイミングに応じて制御信号を送信するステップを備えたことを特徴としたものである。コードレス電話の制御局及び無線ドアホンの制御局は、一方が他方の従属局として動作すると共に時分割多重のための制御信号を送信し、且つ、他方の従属局として動作する副制御局は、主制御局が送信する制御信号のタイミングを元に時分割多重のための制御信号を送信するようにしたので、主制御局と副制御局の制御信号の送信タイミングを時分割多重の最適な時間関係に配置することが可能となり、時分割通信におけるスロットの有効活用が可能となる効果を有する。
【００３８】
上記課題を解決するためになされた第１２の発明は、制御局と制御局に同期して動作する従属局との間で時分割多重通信による無線通信を行う無線通信装置からなるコードレス電話と無線ドアホンで構成される無線通信システムの通信方式であって、コードレス電話の制御局は、制御局として動作し従属局と通信を行うステップを備え、無線ドアホンの制御局は、制御局として動作し従属局と通信を行うステップを備え、コードレス電話の制御局及び無線ドアホンの制御局の従属局として動作する従属局は、従属局として動作しコードレス電話の制御局及び無線ドアホンの制御局と通信を行うステップを備え、コードレス電話の制御局と無線ドアホンの制御局とのいずれか一方の制御局は、第１のタイムスロットを使用して他方の制御局及び従属局に制御信号を送信して他方の制御局及び従属局と無線通信を行い、他方の制御局は、第１のタイムスロットを使用して一方の制御局からの制御信号を受信すると共に、第１のタイムスロットとスロットタイミングの異なる第２のタイムスロットを使用して従属局に制御信号を送信して従属局と無線通信を行い、従属局は、第１のタイムスロットを使用して一方の制御局からの制御信号を受信し、第２のタイムスロットを使用して他方の制御局からの制御信号を受信するステップを備えたことを特徴としたものである。
【００３９】
コードレス電話の制御局及び無線ドアホンの制御局は、一方が他方の従属局として動作し、且つ、コードレス電話と無線ドアホンの従属局はそれぞれの制御局の従属局として動作し、コードレス電話の制御局と無線ドアホンの制御局間、コードレス電話の制御局と従属局間、及び、無線ドアホンの制御局と従属局間がそれぞれ独立に無線通信で通信可能となり、利便性が向上する。又、従属局はコードレス電話の従属局として、又、無線ドアホンの従属局として使用可能であるため、コードレス電話と無線ドアホンを設置する場合、１つの従属局となる無線通信装置で、両方の制御局との通信が可能となり、利便性が向上すると共に、コードレス電話と無線ドアホンからなる無線通信システムを低価格で提供可能となる利点を有する。又、コードレス電話の制御局と従属局のみ、或いは、無線ドアホンの制御局と従属局のみでも動作可能であり、電話、或いは、ドアホンを他の機器に交換した場合でも、残ったコードレス電話の制御局と従属局、或いは、無線ドアホンの制御局と従属局が、単独で動作可能であり、無線通信システムの一部の買い替え等による無駄がなくなるという効果を有する。
【００４０】
上記課題を解決するためになされた第１３の発明は、時分割多重通信を行い、制御局は時分割多重の時間の基準となる制御信号を送信し、従属局は制御信号を受信して制御局との時分割多重の時間同期を行い、制御局と従属局間で無線通信を行う無線通信装置からなるコードレス電話と無線ドアホンで構成される無線通信システムの通信方式であって、コードレス電話の制御局は、制御局として動作し従属局と通信を行うステップと、送受信信号の時分割多重制御を行うステップを備え、無線ドアホンの制御局は、制御局として動作し従属局と通信を行うステップと、送受信信号の時分割多重制御を行うステップを備え、いずれか一方は自らのタイミングで制御信号を送信するステップを備え、他方は、制御信号を受信するステップと、受信した制御信号の受信タイミングに応じて制御信号を送信するステップを備え、コードレス電話の制御局及び無線ドアホンの制御局の従属局として動作する従属局は、コードレス電話の制御局及び無線ドアホンの制御局が送信する制御信号を受信するステップと、主制御局又は副制御局と従属局が無線通信を行う際、従属局は無線通信を行う主制御局又は副制御局が送信する制御信号の受信タイミングに応じて送受信信号の時分割多重制御を行うようにステップを備えたことを特徴としたものである。
【００４１】
コードレス電話の制御局及び無線ドアホンの制御局は、一方が他方の従属局として動作すると共に時分割多重のための制御信号を送信し、且つ、他方の従属局として動作する副制御局は、主制御局が送信する制御信号のタイミングを元に時分割多重のための制御信号を送信し、従属局はそれぞれの制御局が送信する制御信号の受信タイミングに応じて動作するようにしたので、主制御局と副制御局の制御信号の送信タイミングを重ならないよう配置することにより、従属局において、１つの無線回路で、コードレス電話の制御局及び無線ドアホンの制御局が送信する制御信号を受信可能となり、従属局の回路構成を簡略化でき、低価格で無線通信システムの提供が可能となる効果を有する。
【００４２】
上記課題を解決するためになされた第１４の発明は、従属局は、主制御局又は副制御局から呼出信号を受信すると主制御局又は副制御局からの呼出を報知するステップと、呼出中の応答操作によって呼出信号を送信した主制御局又は副制御局と直接無線通信を開始するステップを備えたことを特徴としたものである。
【００４３】
従属局が、制御局からの呼出信号を受信すると報知部にて表示を行うようにしたので、コードレス電話の制御局、又は、無線ドアホンの制御局からの呼出に応じて、例えば、コードレス電話の制御局からの呼出時は発信者の電話番号を表示してコードレス電話の着信を通知し、無線ドアホンの制御局からの呼出時は来訪者の画像を表示して無線ドアホンからの呼出を通知するなどすることにより、利便性を向上することが可能となる。又、コードレス電話の制御局と無線ドアホンの制御局とから同時に呼出が発生した場合も、両方の呼出を表示することにより更に利便性を高めることが可能となる。又、呼出に対し応答操作を行った場合、使用者が選択した呼出信号を送信したコードレス電話の制御局、又は、無線ドアホンの制御局と従属局が直接無線通信を行うよう動作するので、従属局が制御局と通信を行う場合、制御局間の無線通信が行われないので、制御局間を無線通信を接続し、従属局と制御局間の通信を他の制御局が無線で中継して通信する場合に比べ、必要となる無線通信路が少なくて済み、無線通信路で発生する通信エラーによる通信品質の劣化や、無線リソースの不足による通信ビジーの発生を低減することが可能となる。又、呼出に対し応答操作を行った場合、使用者が選択した呼出信号を送信したコードレス電話の制御局、又は、無線ドアホンの制御局と従属局が直接無線通信を行うよう動作するので、他方の動作状態に関係なく使用者が選択した呼出信号を送信したコードレス電話の制御局、又は、無線ドアホンの制御局と従属局が無線接続可能となり、例えば、他の使用者がコードレス電話の外線通信や内線通信でコードレス電話を使用中に無線ドアホンの呼出が発生し、使用者が従属局より無線ドアホンに応答しようとする場合、コードレス電話の制御局の無線リソースの不足により、無線ドアホンへの応答ができなくなるといったような他の制御局の動作状態に起因した無線リソースの不足による通信ビジーの発生を低減することが可能となる。
【００４４】
（実施の形態）
本発明の実施の形態に係る無線通信システムの構成を図１から図４に基づいて説明する。図１は、本発明の実施の形態に係る無線通信システムの構成を説明する図である。図２は、本発明の実施の形態に係るドアホン装置の構成を説明する図である。図３は、本発明の実施の形態に係るコードレス電話装置のコードレス電話親機の構成を説明する図である。図４は、本発明の実施の形態に係るコードレス電話装置のコードレス電話子機の構成を説明する図である。
【００４５】
図１に示すように、本発明の実施の形態に係る無線通信システム１は、副制御局として動作するドアホン装置２と、主制御局として動作する電話回線５に接続されたコードレス電話装置３と、従属局として動作するコードレス電話子機４を備えている。ドアホン装置２は、玄関子機２ａと、ドアホン親機２ｂとから構成される。図１では、コードレス電話子機４として１台しか図示していないが複数でもよい。本実施の形態の無線通信システム１では、コードレス電話装置３が主制御局、ドアホン親機２ｂが副制御局、コードレス電話子機４が従属局となり、無線によるＴＤＡＭで通信している。
【００４６】
図２に示すように、ドアホン装置２は、玄関子機２ａとドアホン親機２ｂとは有線で接続されている。玄関子機２ａは、来訪者を撮像するカメラ部１０１と、来訪者と通話するための通話部１０２と、来訪者による呼び出しを検知して呼び出し通知としてドアホン親機２ｂへ送信する呼び出し検知部１０３と、撮像した来訪者の映像データと音声データと呼び出し通知を多重したり、分離したりしてドアホン親機２ｂとの通信を行う多重分離回路１０４とを備えている。
【００４７】
ドアホン親機２ｂは、モニタ回路２０１と、モニタ２０２と、画像情報記憶部２０３と、呼び出し検知部２０４と、報知部２０５と、音声回路２０６と、通話部２０７と、同期処理部２０８と、フレーム処理部２０９と、無線部２１０と、操作部２１１と、アンテナ２１３と、制御部２１４と、電話親機ＩＤ記憶部２１５と、ドアホンＩＤ記憶部２１６と、子機ＩＤ記憶部２１７と、多重分離回路２２０とを備えている。
【００４８】
モニタ回路２０１は、多重分離回路２２０に接続され、玄関子機２ａからの映像データをモニタ２０２へ表示させる。
【００４９】
画像情報記憶部２０３は、玄関子機２ａからの映像データをモニタ回路２０１を介して記憶し、制御部２１４へ出力する。
【００５０】
呼び出し検知部２０４は、多重分離回路２２０に接続され、玄関子機２ａの呼び出し検知部１０３からの呼び出し通知を検知して報知部２０５のチャイムなどを鳴動させて使用者へ来訪者があることを報知するとともに制御部２１４へ通知する。
【００５１】
音声回路２０６は、多重分離回路２２０に接続され、通話部２０７のマイクから入力された音声信号を音声データへ変換して玄関子機２ａへ送信したり、玄関子機２ａから受信した音声データを音声信号に変換して通話部２０７のスピーカにより鳴らしたり、コードレス電話子機４と通信する際に音声データを玄関子機２ａへ中継したりする機能を備えている。
【００５２】
同期処理部２０８は、フレーム処理部２０９および制御部２１４と接続され、パケットの先頭のプリアンブルとシンクワードで同期処理を行う。
【００５３】
フレーム処理部２０９は、音声回路２０６、無線部２１０および制御部２１４に接続され、復調データから同期信号元に制御データフィールド及び情報データフィールドを抽出して制御部２１４又は音声回路２０６に出力する機能を備えている。
【００５４】
無線部２１０は、ＴＤＭＡで通信行うための変調および復調を行いアンテナ２１３を介して送受信する。
【００５５】
操作部２１１は、来訪者と通話する際に押下されるキーを備えている。
【００５６】
制御部２１４は、玄関子機２ａおよびドアホン親機２ｂを総括制御するものである。
【００５７】
電話親機ＩＤ記憶部２１５は、主制御局であるコードレス電話装置３の識別情報であるＩＤが登録されており、又、ドアホンＩＤ記憶部２１６は、副制御局である自装置のＩＤが登録されており、又、子機ＩＤ記憶部２１７は、ドアホン装置装置２に登録された従属局としてどうさする無線子機の識別情報であるＩＤが登録されており、制御部２１４から読み出し可能に接続されている。
【００５８】
次にコードレス電話装置３について図３に基づいて詳細に説明する。
【００５９】
図３に示すように、コードレス電話装置３は、回線インタフェース部３０１と、音声回路３０２と、着信検知部３０３と、子機ＩＤ記憶部３０４と、電話親機ＩＤ記憶部３０５と、ドアホンＩＤ記憶部３１０と、フレーム処理部３０６と、無線部３０７と、アンテナ３０８と、操作部３１１と、報知部３１２と、通話部３１３と、モニタ回路３１４と、モニタ３１５と制御部３２０とを備えている。
【００６０】
回線インタフェース部３０１は、電話回線５と接続され着信検知部３０３へ出力するとともに、音声回路３０２へ出力する。また音声回路３０２からのアナログの音声信号を電話回線５へ送信する。
【００６１】
音声回路３０２は、フレーム処理部３０６と通話部３１３に接続され通話部３１３のマイクから入力された音声信号を音声データへ変換してフレーム処理部３０６へ出力したり、フレーム処理部３０６から入力した音声データを音声信号に変換して通話部４０３のスピーカにより鳴らしたりする。
【００６２】
着信検知部３０３は、回線インタフェース部３０１と制御部３２０に接続されており、電話回線５からの音声信号により着信を検知して制御部３２０へ通知する。
【００６３】
子機ＩＤ記憶部３０４は、通信相手となる従属局であるコードレス電話子機４のＩＤが登録されており、又、ドアホンＩＤ記憶部３１０は、通信相手となる従属局の動作をする副制御局のドアホン装置２のＩＤが登録されており、又、電話機親機ＩＤ記憶部３０５は、主制御局である自装置のＩＤが登録されており、制御部３２０から読み出し可能に接続されている。
【００６４】
フレーム処理部３０６は、音声回路３０２、無線部３０７および制御部３２０に接続され、復調データから同期信号元に制御データフィールド及び情報データフィールドを抽出して制御部３２０又は音声回路３０２に出力する機能を備えている。
【００６５】
無線部３０７は、ＴＤＭＡで通信行うための変調および復調を行いアンテナ３０８を介して送受信する。
【００６６】
操作部３１１は、発信先電話番号を入力する際に使用される番号キーと、オンフック／オフフックするためキーや、リダイアルするためのキーなどの機能キーを備えている。
【００６７】
報知部３１２は、制御部３２０に接続されており、制御部３２０からの通知により、電話回線５からの着信や、ドアホン装置２からの来訪者の通知を報知する。
【００６８】
モニタ回路３１４は、制御部３２０に接続され、ドアホン装置２からの映像データをモニタ３１５へ表示させる。
【００６９】
制御部３２０は、コードレス電話装置３を総括制御するものである。
【００７０】
次に、コードレス電話子機４について図４に基づいて詳細に説明する。図４に示すように、コードレス電話子機４は、報知部４０１と、音声回路４０２と、通話部４０３と、モニタ回路４０４と、同期処理部４０５と、フレーム処理部４０６と、無線部４０７と、アンテナ４０８と、操作部４０９と、制御部４１０と、子機ＩＤ記憶部４１１と、電話親機ＩＤ記憶部４１２と、ドアホンＩＤ記憶部４１３と、モニタ４１４とを備えている。
【００７１】
報知部４０１は、制御部４１０に接続されており、制御部４１０からの通知により、電話回線５からの着信や、ドアホン装置２からの来訪者の通知を報知する。
【００７２】
音声回路４０２は、フレーム処理部４０６と通話部４０３に接続され、通話部４０３のマイクから入力された音声信号を音声データへ変換してフレーム処理部４０６へ出力したり、制御部４１０またはフレーム処理部４０６から入力した音声データを音声信号に変換して通話部４０３のスピーカにより鳴らしたりする。
【００７３】
モニタ回路４０４は、制御部４１０に接続され、ドアホン装置２からの映像データをモニタ４１４へ表示させる。
【００７４】
同期処理部４０５は、フレーム処理部４０６および制御部４１０と接続され、パケットの先頭のプリアンブルとシンクワードで同期処理を行う。
【００７５】
フレーム処理部４０６は、音声回路４０２、無線部４０７および制御部４１０に接続され、復調データから同期信号元に制御データフィールド及び情報データフィールドを抽出して制御部３２０又は音声回路４０２に出力する機能を備えている。
【００７６】
無線部４０７は、ＴＤＭＡで通信行うための変調および復調を行いアンテナ４０８を介して送受信する。
【００７７】
操作部４０９は、発信先電話番号を入力する際に使用される番号キーと、オンフック／オフフックするためキーや、リダイアルするためのキーなどの機能キーを備えている。
【００７８】
制御部４１０は、コードレス電話子機４を総括制御するものである。
【００７９】
子機ＩＤ記憶部４１１は、従属局である自装置のＩＤが登録されている。電話機親機ＩＤ記憶部４１２は、主制御局であるコードレス電話装置３のＩＤが登録されている。ドアホンＩＤ記憶部４１３は、副制御局であるドアホン装置２のＩＤが登録されている。この子機ＩＤ記憶部４１１と、電話機親機ＩＤ記憶部４１２と、ドアホンＩＤ記憶部４１３とは、制御部４１０から読み出し可能に接続されている。
【００８０】
以上のように構成される本発明の実施の形態に係る無線通信システム１のドアホン親機２ｂ、コードレス電話装置３およびコードレス電話子機４がＴＤＭＡで通信を行うときのパケットデータのフォーマットを図５に基づいて説明する。図５（Ａ）および同図（Ｂ）は、パケットデータのフォーマットを説明する図である。
【００８１】
図５（Ａ）に示すように、データパケットは、制御情報を送信するときに使用されるパケットと、音声データや映像データを送信するときに使用されるパケットとがある。いずれのパケットデータも、同期信号と制御データフィールドと、制御データフィールドのチェックコードが格納されるＣＲＣ（Ｃｙｃｌｉｃ  Ｒｅｄｕｎｄａｎｃｙ  Ｃｈｅｃｋ）１のフィールドとを有している。
【００８２】
同期信号は、プリアンブルおよびシンクワードで構成され、通信元と同期を図るためのものである。制御データフィールドは、メッセージが格納されている。
【００８３】
また、音声データや画像データは、情報データフィールドに格納され、この情報データフィールドのチェックコードがＣＲＣ２に格納される。
【００８４】
図５（Ｂ）に示すように、制御データフィールドは、ヘッダ部とテール部とで構成され、ヘッダ部にはメッセージが格納される。テール部は、ヘッダ部に格納されるメッセージの内容に応じて格納される内容が異なる。例えば、ＮＴメッセージであれば、送信元のＩＤが格納されている。つまりこのＮＴメッセージは、コードレス電話装置３及びドアホン親機２ｂが使用する。主制御局が送信したＮＴメッセージを受信した副制御局および従属局は、そのスロットを主制御局が使用することを認識することができる。又、副制御局が送信したＮＴメッセージを受信した従属局は、そのスロットを副制御局が使用することを認識することができる。
【００８５】
また、ＰＴメッセージは、呼び出しを行うコードレス電話子機４のＩＤが格納される。これは、電話回線５からの着信があった場合に、コードレス電話装置３がその着信を通知するコードレス電話子機４のＩＤが格納されたり、来訪者があった場合に、ドアホン親機２ｂからの呼び出しを通知するコードレス電話子機４のＩＤが格納されたりする。また、複数の子機すべてを同時に呼び出す場合は、全体を呼び出すことを示す特別のＩＤ（例えば、ＡＬＬ０のＩＤ）が格納される。
【００８６】
ＱＴメッセージは、通信先相手に送信スロットを通知する際に使用される。主制御局が送信したＱＴメッセージを受信した副制御局および従属局は、その制御信号がフレーム内のどのスロットで送信されたかを認識することができ、主制御局とのフレーム、スロットの同期を取ることができる。
【００８７】
ＭＴメッセージは、コードレス電話装置３及びドアホン親機２ｂが使用する場合と、コードレス電話子機４が使用する場合がある。電話回線５からの着信があり、コードレス電話装置３からコードレス電話子機４へＰＴメッセージが送信されると、オフフックしたコードレス電話子機４からＭＴメッセージによる通話要求が送信され、その確認応答としてコードレス電話装置３からＭＴメッセージによる通話応答が送信される。同様に、玄関子機２ａからの着信があり、ドアホン親機２ｂからコードレス電話子機４へＰＴメッセージが送信されると、オフフックしたコードレス電話子機４からＭＴメッセージによる通話要求が送信され、その確認応答としてドアホン親機２ｂからＭＴメッセージによる通話応答が送信される。
【００８８】
次に、上述したようなパケットデータを用いてドアホン親機２ｂ、コードレス電話装置３およびコードレス電話子機４が通信を行うときの動作を、図１から図４に基づいて説明する。
【００８９】
尚、以下の説明では、主制御局として動作するコードレス電話装置３が時分割多重の時間の基準となる制御信号を制御情報として送信するスロットを主同期スロットと、又、副制御局として動作するドアホン親機２ｂが時分割多重の時間の基準となる制御信号を制御情報として送信するスロットを副同期スロットと呼ぶことにする。又、実施の形態では、副制御局が制御局として動作する際と主制御局が動作する際の無線信号を送信するスロットと、副制御局が従属局として動作する際と従属局が動作する際の無線信号を送信するスロットが、時分割多重を行う際、別々のスロットとなるよう構成された場合の例を示し、副制御局が制御局として動作する際と主制御局が動作する際の無線信号を送信するスロットを制御局送信スロット、又は従属局受信スロットと呼び、副制御局が従属局として動作する際と従属局が動作する際の無線信号を送信するスロットを従属局送信スロット又は制御局受信スロットと呼ぶ。又、特に、制御局が従属局からの通信要求を待ち受けている状態で、従属局からの通信要求を受信するために受信動作をしているスロットを待ち受けスロットと呼ぶ。
【００９０】
先ず、コードレス電話装置３の動作を説明する。図３に示すように制御部３２０は、電源が投入されると、自己のタイミングでＴＤＭＡのフレーム／スロットのタイミングを決定し、本無線通信システム内で予め決められた制御局送信スロットの中の任意の１つのスロットから主同期スロットを選択し、制御情報の送信を開始する。制御部３２０は、制御情報の送信タイミングに合わせて、送信スロット番号および電話親機ＩＤ記憶部３０５に登録された自装置のＩＤをフレーム処理部３０６に出力する。フレーム処理部３０６では、送信スロット番号およびＩＤに同期信号等を付加して無線部３０７に出力することで、アンテナ３０８を介して制御情報が送信される。そして、制御部３２０は、本無線通信システム内で予め決められた従属局送信スロットのうち、主同期スロットに対応するスロットを除いたスロット、即ち、待ち受けスロットでコードレス電話子機４からの通話要求の受信を待ち受ける定常状態に移行する制御を行う。制御部３２０は、待ち受けスロットにて、無線部３０７を受信動作となるよう制御する。待ち受けスロットで受信復調された復調データは、フレーム処理部３０６に出力され、フレーム処理部３０６は、各待ち受けスロットにて入力された復調データから同期信号元に制御データフィールド、ＣＲＣ１を抽出し、受信信号が正しければ、制御データフィールドで受信された制御情報を制御部３２０に出力する。そして、制御部３２０は、受信した制御情報に従った動作を行うよう制御を行い、例えば、受信した制御情報が通信要求であった場合は、送信元の従属局や副制御局との通信を開始する動作を起動する。
【００９１】
次に、ドアホン親機２ｂの動作について説明する。図２に示すように、最初に制御部２１４は、無線部２１０を連続受信状態にし、主制御局が送信する制御除法の同期捕捉動作を開始する。そして無線部２１０で受信して復調されたパケットデータがフレーム処理部２０９に渡される。
【００９２】
フレーム処理部２０９では、復調されたパケットデータから同期信号を元に制御データフィールドを抽出し、制御データフィールドの受信データに基づいて送信元のＩＤ及び受信スロット番号を制御部２１４に出力する。
【００９３】
制御部２１４では、受信したＩＤが電話親機ＩＤ記憶部２１５に登録されたＩＤに一致すると、電話親機ＩＤ記憶部２１５に登録されたＩＤを受信したスロットを主同期スロットとして、以降はそのタイミングでコードレス電話装置３の受信を行う。そして、制御信号を送信しているスロットを通知する制御情報を受信すると、コードレス電話装置３（主制御局）とのフレーム、スロットの同期を確立する。例えば、コードレス電話装置３より制御信号を送信しているスロットが“１”であることを通知されると、制御情報を受信したスロット（主同期スロット）がスロット１となるようフレームタイミングを決定する。即ち、ドアホン親機２ｂは、コードレス電話装置３とのフレーム、スロットの同期が確立した以降、主同期スロットでは、主制御局の従属局としての制御を行い、本無線通信システム内で予め決められた制御局側の送信スロットのうちコードレス電話装置３が制御信号を送信している主同期スロットを受信スロットとして動作する。そして、本無線通信システム内で予め決められた制御局側の送信スロットから従属局としての動作を行う主同期スロットを除いたスロットからの１つのスロットを選択して副同期スロットとして、副制御局としての制御情報を送信する。本実施の形態では、コードレス電話装置３が送信する主同期スロットの次のスロットを、ドアホン親機２ｂの副同期スロットとしている。
【００９４】
そして、制御部２１４は、本無線通信システム内で予め決められた従属局（コードレス電話子機４）側の送信スロットのうち、主同期スロットと副同期スロットに対応するスロットを除いたスロットを待ち受けスロットとしてコードレス電話子機４からの通話要求の受信を待ち受ける定常状態に移行する制御を行う。
【００９５】
定常状態に移行すると、主同期スロットにおいて、コードレス電話装置３が送信する制御信号を受信することにより、従属局としての制御、即ち、同期の維持等を行う。主同期スロットのタイミングに合わせて、制御部２１４は、無線部２１０をコードレス電話装置３の制御信号を受信するよう制御し、受信復調データがフレーム処理部２０９に出力される。フレーム処理部２０９は、復調されたパケットデータから同期信号を元に制御データフィールドを抽出し、制御データフィールドの受信データを制御部２１４に出力するとともに、同期信号を検出したタイミングを同期処理部２０８に通知する。同期処理部２０８は、同期信号を検出したタイミングが所定のタイミングとなるよう、フレーム、スロットのタイミング補正の信号をフレーム処理部２０９に出力する。同期処理部２０８で行われるタイミング補正の動作例は、例えば、主同期スロットで通知された同期信号を検出したタイミングの周期を計時し、同期信号の検出周期と予め決められた周期（フレーム周期）とのずれに応じてフレーム、スロットのタイミング補正信号をフレーム処理部２０９に出力する。尚、この時、同期処理部２０８での同期信号の検出タイミングの周期の計時は、極力、短い時間単位で計時することが望ましく、フレーム、スロットのタイミング補正によって発生する送信ジッタが主制御局や従属局との通信に影響を与えないよう、時間単位が設定され、例えば、本システムで通信する通信速度（ビットレート）により決定される１ビット送信に必要な送信時間より、短い時間（例えば、１／１０ビットの時間単位）で同期信号の検出周期を計時し、フレーム、スロットのタイミング補正信号を生成する。又、タイミング補正信号は、副制御局が送受信を行っていない時間で、出力され、フレーム、スロットのタイミングが補正される。例えば、主同期スロットの受信が終了し、次のスロットの送信或いは受信を行うまでの時間、即ち、時分割通信を行う際に伝播遅延による受信タイミングの遅れを補償するために各スロットの終わりにもうけられた送信禁止時間であるガードタイムでフレーム、スロットのタイミングの補正を行う。
【００９６】
又、制御部２１４は、本無線通信システム内で予め決められた従属局送信スロットのうち、主同期スロットと副同期スロットに対応するスロットを除いたスロット、即ち、待ち受けスロットでコードレス電話子機４からの通話要求の受信を待ち受ける定常状態に移行する制御を行う。制御部２１４は、待ち受けスロットにて、無線部２１０を受信動作となるよう制御する。待ち受けスロットで受信復調された復調データは、フレーム処理部２０９に出力され、フレーム処理部２０９は、各待ち受けスロットにて入力された復調データから同期信号元に制御データフィールド、ＣＲＣ１を抽出し、受信信号が正しければ、制御データフィールドで受信された制御情報を制御部２１４に出力する。そして、制御部２１４は、受信した制御情報に従った動作を行うよう制御を行い、例えば、受信した制御情報が通信要求であった場合は、送信元の従属局との通信を開始する動作を起動する。
【００９７】
最後に、コードレス電話子機４の動作について説明する。図４に示すように、まず制御部４１０は、ドアホン親機２ｂと同様に、連続受信で電話親機ＩＤ記憶部４１２に記憶されたコードレス電話装置３の制御情報を探し、電話親機ＩＤ記憶部４１２に記憶されたコードレス電話装置３が送信する制御スロットの送信スロットを通知する制御情報を受信し、コードレス電話装置３とＴＤＭＡのフレーム／スロットの同期を確立する。同期確立後、主同期スロットにおいて、コードレス電話装置３が送信する制御信号を受信することにより、同期の維持等を行う。主同期スロットのタイミングに合わせて、制御部４１０は、無線部４０７をコードレス電話装置３の制御信号を受信するよう制御し、受信復調データがフレーム処理部４０６に出力される。フレーム処理部４０６は、復調されたパケットデータから同期信号を元に制御データフィールドを抽出し、制御データフィールドの受信データを制御部４１０に出力するとともに、同期信号を検出したタイミングを同期処理部４０５に通知する。同期処理部４０５は、同期信号を検出したタイミングが所定のタイミングとなるよう、フレーム、スロットのタイミング補正信号をフレーム処理部４０６に出力し、フレーム処理部４０６にてタイミング補正信号をもとにフレーム、スロットのタイミングの補正を行う。尚、上記コードレス電話子機４がコードレス電話装置３が送信する制御信号を受信することにより、同期の維持等を行う際の、同期処理部４０５、フレーム処理部４０６の動作は、上述のドアホン親機２ｂの動作と同様で有り、詳細な説明を省略する。
【００９８】
又、制御部４１０は、コードレス電話装置３との同期確立後、コードレス電話装置３の制御情報を受信する主同期スロット以外の制御局送信スロット（従属局受信スロット）でドアホン親機２ｂの制御情報の受信を行うよう制御を行う。即ち、制御部４１０は、制御局送信スロット（従属局受信スロット）にて、受信を行うよう無線部４０７を制御し、受信復調データがフレーム処理部４０６に出力される。フレーム処理部４０６は、復調されたパケットデータから同期信号を元に制御データフィールドを抽出し、制御データフィールドの受信データを制御部４１０に出力する。制御部４１０は、ドアホンＩＤ記憶部４１３に記憶されたＩＤに一致するドアホン親機２ｂの制御情報を受信すると、コードレス電話装置３の制御情報を受信する主同期スロットとドアホン親機２ｂの制御情報を受信する副同期スロット以外のスロットの受信を停止し、待ち受け状態に移行する。
【００９９】
次に、ドアホン親機２ｂ、コードレス電話装置３およびコードレス電話子機４が通信を行う際の送信スロットおよび受信スロットの状態を図６から図１１に基づいて説明する。図６から図１１は、本発明の実施の形態に係る無線通信システムにおいて通信を行う際の送信スロットおよび受信スロットの状態を説明する図である。
【０１００】
図６に示すように、本例では、本無線通信システム内で予め決められた制御局側の送信スロットがスロット１からスロット４までの４つのスロット、同じく、従属局側の送信スロットがスロット５からスロット８までの４つのスロットで１つのフレームが構成された時分割多重のスロット配置を示し、無線通信システム１のタイムスロットは、送信スロットが４スロットと、その送信スロットに対応する受信スロットが４スロットとで構成される。
【０１０１】
まずコードレス電話装置３は、電源投入されると自己のタイミングでＴＤＭＡのフレーム／スロットのタイミングを決定して本無線通信システム内で予め決められた制御局側の送信スロットの中から任意のスロットを選択して制御情報の送信を開始する（Ｓ１）。そして、制御信号を送信するスロットに対応した制御局受信スロットを除いた制御局受信スロット、即ち、待ち受けスロットの受信を開始する（Ｓ２）。図６ではコードレス電話装置３は、スロット１を選択して制御情報の送信を開始する例を示しており、制御情報を送信するスロット１が、主同期スロットとなり、スロット６からスロット８が待ち受けスロットとなる。
【０１０２】
この主同期スロットで送信された制御情報に基づいて、ドアホン親機２ｂが同期を確立する。即ち、ドアホン親機２ｂは、先ず連続受信を起動し（Ｓ３）、コードレス電話装置３が送信する制御信号を受信すると、連続受信を停止し、制御信号に含まれるスロット番号等の情報を元にコードレス電話親機３とのフレーム、スロットの同期を確立し、主同期スロット（スロット１）では、コードレス電話親機３の制御信号を受信する従属局としての動作を開始する（Ｓ４）。そして、同期スロット以外の制御局送信スロットより制御信号を送信するスロットを選択し、制御信号の送信を開始する（Ｓ５）。そして、従属局として動作する主同期スロットと制御信号を送信する副同期スロットに対応した制御局受信スロットを除いた制御局受信スロット、即ち、待ち受けスロットの受信を開始する（Ｓ６）。図６ではドアホン親機２ｂは、スロット２を選択して制御情報の送信を開始する例を示しており、制御情報を送信するスロット２が、副同期スロットとなり、スロット７からスロット８が待ち受けスロットとなる。
【０１０３】
同様に、上記主同期スロットで送信された制御情報に基づいてコードレス電話子機４が同期を確立する。即ち、コードレス電話子機４は、先ず連続受信を起動し（Ｓ７）、コードレス電話装置３が送信する制御信号を受信すると、連続受信を停止し、制御信号に含まれるスロット番号等の情報を元にコードレス電話親機３とのフレーム、スロットの同期を確立する（Ｓ８）。そして、フレーム、スロットのタイミングに応じて主同期スロット以外の制御局送信スロットの受信を開始する（Ｓ９）。そして、ドアホン親機２ｂが送信する制御信号を受信すると（Ｓ１０）、主同期スロット、及び、副同期スロット以外の受信を停止して待ち受け状態となる（Ｓ１１）。
【０１０４】
次に、玄関子機２ａの呼び出し検知部１０３が来訪者の呼び出しを検知したときのドアホン親機２ｂ、コードレス電話装置３とコードレス電話子機４との通信の状態を図７に基づいて説明する。尚、図７におけるコードレス電話装置３、ドアホン親機２ｂ、コードレス電話子機４の初期状態は、図６で説明した終わりの状態、即ち、コードレス電話装置３が主同期スロットで制御信号を送信しながら待ち受けスロットの受信を行い、ドアホン親機２ｂが副同期スロットで制御信号を送信しながら待ち受けスロットの受信を行い、コードレス電話子機４は主同期スロットと副同期スロットの受信を行っている状態である。
【０１０５】
先ずドアホン親機２ｂの動作を説明する。来訪者の呼び出しを検知すると、副同期スロットにてコードレス電話子機４に呼出信号を送信する（Ｓ２１）。そして、コードレス電話装置３の待ち受けスロットの１つを選択してコードレス電話装置３に対し通話要求を送信する（Ｓ２２）。即ち、ドアホン親機２ｂは、自装置の待ち受けスロットの１つを選択して、選択したスロットを従属局としての動作に切換え、コードレス電話装置３への送信を開始する。そして、コードレス電話装置３からの通話応答を受信するために、コードレス電話装置３に対し送信元の識別符号（ＩＤ）を付した通話要求を送信したスロットに対応するスロットを従属局としての動作、即ち、受信動作に切換える（Ｓ２３）。そして、コードレス電話装置３からの通話応答を受信すると、以後、通話要求を送信したスロットの送信動作、及び、通話応答を受信したスロットの受信動作を継続する。図６の例では、ドアホン親機２ｂがコードレス電話装置３と通信を行うスロットとしてスロット３とスロット７を選択した例を示しており、ドアホン親機２ｂはスロット３とスロット７を従属局としての動作、即ち、スロット３でコードレス電話装置３からの無線信号を受信し、スロット７でコードレス電話装置３への無線信号を送信する動作を示している。
【０１０６】
次に、コードレス電話装置３の動作を説明する。コードレス電話装置３は、待ち受けスロットにて制御信号を受信すると、受信した制御信号に含まれる送信元の識別符号（ＩＤ）を元に通話要求の送信元を調べる。そして送信元の識別符号（ＩＤ）がドアホンＩＤ記憶部３１０に記憶されている識別符号（ＩＤ）と一致した場合、ドアホン親機２ｂからの通話要求であることを認識し、ドアホン側からの呼出を報知する動作を開始する。即ち、報知部３１２より、ドアホン装置２からの来訪者の通知を報知する（Ｓ２４）。そして、通話要求を受信したスロットに対応する制御局送信スロットにて、通話応答の送信を行ない（Ｓ２５）、以後、通話要求を受信したスロットの受信動作、及び、通話応答を送信したスロットの送信動作を継続する。図６の例では、コードレス電話装置３がドアホン親機２ｂと通信を行うスロットとしてスロット３とスロット７を選択した例を示しており、コードレス電話装置３は、スロット３でドアホン親機２ｂへの無線信号を送信し、スロット７でドアホン親機２ｂからの無線信号を受信する動作を示している。
【０１０７】
次に、コードレス電話子機４の動作を説明する。コードレス電話子機４は、ドアホン親機２ｂの制御信号を受信する副同期スロットにて呼出信号を受信すると、主同期スロット及び副同期スロットの受信を維持したまま、ドアホン側からの呼出を報知する動作を開始する（Ｓ２６）。即ち、報知部４０１より、ドアホン装置２からの来訪者の通知を報知する。
【０１０８】
次に、ドアホン親機２ｂからの呼出をコードレス電話装置３が応答するときの通信の状態を図８に基づいて説明する。尚、図８におけるコードレス電話装置３、ドアホン親機２ｂ、コードレス電話子機４の初期状態は、図７で説明した終わりの状態、即ち、ドアホン親機２ｂの呼出をコードレス電話装置３とコードレス電話子機４が報知している状態である。
【０１０９】
先ず、コードレス電話装置３の動作を説明する。コードレス電話装置３が、ドアホン親機２ｂからの呼出を報知している状態で、操作部３１１にてドアホン親機２ｂからの呼出に対する応答操作が行なわれると、ドアホン親機２ｂへの送信スロットで応答通知を送信し（Ｓ３１）、呼出の報知を停止し、音声パスを接続する。それ以後、通話部３１３のマイクより入力されたコードレス電話装置３の使用者の音声が音声回路３０２、フレーム処理部３０６、無線部３０７を介してドアホン親機２ｂへ送信され、ドアホン親機２ｂより受信した信号がフレーム処理部３０６、音声回路３０２を介して通話部３１３のスピーカより出力される。図８の例では、Ｓ３１以降のスロット３にて、コードレス電話装置３からの音声信号が送信され、ドアホン親機２ｂ、即ち、玄関子機２ａからの音声信号がスロット７にて受信され、コードレス電話装置３より出力される。
【０１１０】
次に、ドアホン親機２ｂの動作を説明する。ドアホン親機２ｂは、コードレス電話装置３と通信を行っているスロットでコードレス電話装置３より応答通知を受信すると、コードレス電話装置３との通話状態へ移行し（Ｓ３２）、コードレス電話子機４へ副同期スロットにて呼出停止の制御信号を送信する（Ｓ３３）。
【０１１１】
それ以後、玄関子機２ｂの通話部１０２のマイクより入力された来訪者の音声が多重分離回路１０４、多重分離回路２２０、音声回路２０６、フレーム処理部２０９、無線部２１０を介してコードレス電話装置３へ送信され、コードレス電話装置３より受信した信号がフレーム処理部２０９、音声回路２０６、多重分離回路２２０、多重分離回路１０４を介して通話部１０２のスピーカより出力される。図８の例では、Ｓ３２以降のスロット３にて、コードレス電話装置３からの音声信号が受信され、玄関子機２ｂより出力され、ドアホン親機２ｂ、即ち、玄関子機２ａからの音声信号がスロット７にて送信される。
【０１１２】
次に、コードレス電話子機４の動作を説明する。コードレス電話子機４は、副同期スロットにてドアホン親機２ｂが送信した呼出停止の制御信号を受信すると、ドアホンの呼出の報知を停止し、待ち受け状態に戻る（Ｓ３４）。
【０１１３】
次に、ドアホン親機２ｂからの呼出をコードレス電話装置３が応答したあと、コードレス電話装置３より通話を切断するときの通信の状態を図８に基づいて説明する。
【０１１４】
先ず、コードレス電話装置３の動作を説明する。コードレス電話装置３が、ドアホン親機２ｂを介して玄関子機２ａと通話している状態で、操作部３１１にて切断操作が行なわれると、ドアホン親機２ｂへの送信スロットで切断通知を送信し（Ｓ４０）、音声パスを切断する。そして、ドアホン親機２ｂからの切断確認を受信すると（Ｓ４１）、ドアホン親機２ｂへの送信を行っていたスロットを停止し（Ｓ４２）、ドアホン親機２ｂの受信を行っていたスロットを待ち受けスロットとしての動作に切り替える（Ｓ４３）。
【０１１５】
次に、ドアホン親機２ｂの動作を説明する。ドアホン親機２ｂは、コードレス電話装置３より切断通知を受信すると、音声パスを切断する（Ｓ４４）。そして、コードレス電話装置３に切断確認を送信する（Ｓ４５）。そして、コードレス電話装置３の受信を行っていたスロットを停止し（Ｓ４６）、コードレス電話装置３への送信を行っていたスロットを制御局としての動作、即ち、待ち受けスロットとしての動作に切り替える（Ｓ４７）。
【０１１６】
次に、ドアホン親機２ｂからの呼出をコードレス電話子機４が応答するときの通信の状態を図９に基づいて説明する。尚、９におけるコードレス電話装置３、ドアホン親機２ｂ、コードレス電話子機４の初期状態は、図７で説明した終わりの状態、即ち、ドアホン親機２ｂの呼出をコードレス電話装置３とコードレス電話子機４が報知している状態である。
【０１１７】
先ず、コードレス電話子機４の動作を説明する。コードレス電話子機４にて、ドアホン親機２ｂからの呼出を報知している状態で、操作部４０９にてドアホン親機２ｂからの呼出に対する応答操作が行なわれると、主同期スロット及び副同期スロットの受信を維持したまま、従属局の送信スロットのうち主同期スロットと副同期スロットに対応したスロットを除く、従属局の送信スロットの１つを選択して応答通知を送信し（Ｓ５１）、呼出の報知を停止し、応答通知を送信したスロットに対応した従属局の受信スロットの受信を開始し、応答確認の受信を行う（Ｓ５２）。そして応答確認を受信すると、音声パスを接続し、それ以後、通話部４０３のマイクより入力されたコードレス電話子機４の使用者の音声が音声回路４０２、フレーム処理部４０６、無線部４０７を介してドアホン親機２ｂへ送信され、ドアホン親機２ｂより受信した信号がフレーム処理部４０６、音声回路４０２を介して通話部４０３のスピーカより出力される。図９の例では、主同期スロット（スロット１）及び副同期スロット（スロット２）の受信を維持したまま、Ｓ５２以降のスロット８にて、コードレス電話子機４からの音声信号が送信され、ドアホン親機２ｂ、即ち、玄関子機２ａからの音声信号がスロット４にて受信され、コードレス電話子機４より出力される。
【０１１８】
尚、コードレス電話子機４が、ドアホン親機２ｂに応答通知を送信するスロットがドアホン親機２ｂがコードレス電話装置３へ呼出を通知しているスロットと重なった場合、ドアホン親機２ｂは応答通知を受信できないため、応答確認が送信されない。そのため、コードレス電話子機４では、ドアホン親機２ｂへ応答通知を送信後、一定時間受信を継続しても応答確認が受信できなかった場合、スロットを変更してドアホン親機２ｂに応答通知を送信する。
【０１１９】
次に、ドアホン親機２ｂの動作を説明する。ドアホン親機２ｂは、コードレス電話子機４の待ち受け受信を行っているスロットでコードレス電話子機４より応答通知を受信すると、コードレス電話子機４との通話状態へ移行する制御を開始する（Ｓ５５）。先ず、ドアホン親機２ｂはコードレス電話子機４へ応答通知を受信したスロットに対応する制御局送信スロットにてコードレス電話子機４へ応答確認を送信する（Ｓ５６）。以後、応答通知を受信したスロットの受信と応答確認を送信したスロットの送信を継続し、コードレス電話子機４との音声の通信を行う。図９の例では、Ｓ５６以降のスロット４にて、ドアホン親機２ｂ、即ち、玄関子機２ａからの音声信号がコードレス電話子機４に送信され、又、スロット８にてコードレス電話子機４からの音声信号が受信され、玄関子機２ａより出力される。尚、音声パスの接続状態の説明は、図８を用いて説明したコードレス電話装置３のときの動作と同様で有り、説明を省略する。
【０１２０】
又、ドアホン親機２ｂは、コードレス電話子機４より応答通知を受信すると、コードレス電話装置３への送信を行っている従属局送信スロットにて、コードレス電話装置３へ呼出停止を送信し（Ｓ５７）、コードレス電話装置３からの受信を行っている従属局受信スロットの受信を停止する（Ｓ５８）。そして、コードレス電話装置３への送信を行っていた従属局送信スロットの動作を、制御局としての動作、即ち待ち受けスロットとしての受信動作に切り替える（Ｓ５９）。
【０１２１】
次に、コードレス電話装置３の動作を説明する。コードレス電話装置３は、ドアホン親機２ｂの受信を行っているスロットで呼出停止を受信すると、ドアホンの呼出の報知を停止し（Ｓ６０）、ドアホン親機２ｂへの送信を行っているスロットの送信を停止する（Ｓ６１）。そして、ドアホン親機２ｂの受信を行っていたスロットを待ち受け受信に切り替える（Ｓ６２）。
【０１２２】
次に、コードレス電話装置３の着信検知部３０３が外線着信を検知し、コードレス電話子機４で応答したときのドアホン親機２ｂ、コードレス電話装置３とコードレス電話子機４との通信の状態を図１０に基づいて説明する。尚、図１０におけるコードレス電話装置３、ドアホン親機２ｂ、コードレス電話子機４の初期状態は、図６で説明した終わりの状態、即ち、コードレス電話装置３が主同期スロットで制御信号を送信しながら待ち受けスロットの受信を行い、ドアホン親機２ｂが副同期スロットで制御信号を送信しながら待ち受けスロットの受信を行い、コードレス電話子機４は主同期スロットと副同期スロットの受信を行っている状態である。
【０１２３】
先ず外線着信を検知し、着信の報知を行う動作を説明する。コードレス電話装置３は、外線からの着信を検知すると、主同期スロットにてドアホン親機２ｂとコードレス電話子機４に呼出信号を送信し（Ｓ７０）、報知部３１２にて外線着信の報知を開始する。一方、コードレス電話子機４は主同期スロットにて呼出信号を受信すると（Ｓ７１）、主同期スロット及び副同期スロットの受信を維持したまま、報知部４０１にて外線着信の報知を開始する。同様に、ドアホン親機２ｂは主同期スロットにて呼出信号を受信すると（Ｓ７２）、主同期スロットの受信及び副同期スロットの送信を維持したまま、報知部２０５にて外線着信の報知を開始する（Ｓ７２）。
【０１２４】
次に、コードレス電話子機４にて外線着信に応答した時の動作を説明する。コードレス電話子機４にて、外線着信を報知している状態で、操作部４０９にて外線着信に対する応答操作が行なわれると、主同期スロット及び副同期スロットの受信を維持したまま、従属局の送信スロットのうち主同期スロットと副同期スロットに対応したスロットを除く、従属局の送信スロットの１つを選択して応答通知を送信し（Ｓ８０）、外線着信の報知を停止し、応答通知を送信したスロットに対応した従属局の受信スロットの受信を開始し、応答確認の受信を行う（Ｓ８１）。そして応答確認を受信すると、音声パスを接続し、それ以後、通話部４０３のマイクより入力されたコードレス電話子機４の使用者の音声が音声回路４０２、フレーム処理部４０６、無線部４０７を介してコードレス電話装置３へ送信され、コードレス電話装置３より受信した信号がフレーム処理部４０６、音声回路４０２を介して通話部４０３のスピーカより出力される。図１０の例では、主同期スロット（スロット１）及び副同期スロット（スロット２）の受信を維持したまま、Ｓ８１以降のスロット７にて、コードレス電話子機４からの音声信号が送信され、スロット３にてコードレス電話装置３、即ち、発信者からの音声信号が受信され、コードレス電話子機４より出力される。
【０１２５】
一方、コードレス電話装置３は、外線着信を報知している状態で待ち受けスロットにてコードレス電話子機４からの応答通知を受信すると、コードレス電話子機４との通信を開始する制御を始め（Ｓ８５）、主同期スロットで着信停止の報知を行い（Ｓ８６）、応答通知を受信したスロットに対応した制御局送信スロットで応答確認の送信を行い（Ｓ８７）、音声パスを接続し、それ以後、電話回線５より入力された発信者の音声が回線インタフェース部３０１、音声回路３０２、フレーム処理部３０６、無線部３０７を介してコードレス電話子機４へ送信され、コードレス電話子機４より受信した信号がフレーム処理部３０６、音声回路３０２、回線インタフェース部３０１を介して電話回線５へ出力される。図１０の例では、Ｓ８７以降のスロット３にて、電話回線５、即ち、発信者からの音声信号が送信され、スロット７にてコードレス電話子機４からの音声信号受信がされ、電話回線５に出力される。
【０１２６】
又、ドアホン親機２ｂは、主同期スロットで着信停止の報知を受信すると、外線着信の報知を停止する（Ｓ８８）。
【０１２７】
次に、コードレス電話装置３の着信検知部３０３が外線着信を検知し、コードレス電話子機４で応答したときのドアホン親機２ｂ、コードレス電話装置３とコードレス電話子機４との通信の状態を図１１に基づいて説明する。尚、図１１におけるコードレス電話装置３、ドアホン親機２ｂ、コードレス電話子機４の初期状態は、図６で説明した終わりの状態、即ち、コードレス電話装置３が主同期スロットで制御信号を送信しながら待ち受けスロットの受信を行い、ドアホン親機２ｂが副同期スロットで制御信号を送信しながら待ち受けスロットの受信を行い、コードレス電話子機４は主同期スロットと副同期スロットの受信を行っている状態である。尚、外線着信を検知し、着信の報知を行う動作は、上述の図１０の（Ｓ７０）、（Ｓ７１）、（Ｓ７２）と同様で有り、同じ符号を付して説明を省略する。
【０１２８】
先ず、ドアホン親機２ｂにて外線着信に応答した時の動作を説明する。ドアホン親機２ｂにて、外線着信を報知している状態で、操作部２１１にて外線着信に対する応答操作が行なわれると、主同期スロットの受信及び副同期スロットの送信を維持したまま、従属局の送信スロットのうち主同期スロットと副同期スロットに対応したスロットを除く、従属局の送信スロットの１つを選択して応答通知を送信し（Ｓ９０）、外線着信の報知を停止し、応答通知を送信したスロットに対応した従属局の受信スロットの受信を開始し、応答確認の受信を行う（Ｓ９１）。そして応答確認を受信すると、音声パスを接続し、それ以後、通話部２０７のマイクより入力されたドアホン親機２ｂの使用者の音声が音声回路２０６、フレーム処理部２０９、無線部２１０を介してコードレス電話装置３へ送信され、コードレス電話装置３より受信した信号がフレーム処理部２１０、音声回路２０６を介して通話部２０６のスピーカより出力される。図１１の例では、ドアホン親機２ｂでは、応答操作が行なわれると主同期スロット（スロット１）の受信及び副同期スロット（スロット２）の送信を維持したまま、スロット３及びスロット７が従属局としての制御に切換えられ、Ｓ９１以降、スロット７にて、ドアホン親機２ｂからの音声信号が送信され、スロット３にてコードレス電話装置３、即ち、発信者からの音声信号が受信され、ドアホン親機２ｂより出力される。
【０１２９】
一方、コードレス電話装置３は、外線着信を報知している状態で待ち受けスロットにてドアホン親機２ｂからの応答通知を受信すると、ドアホン親機２ｂとの通信を開始する制御を始め（Ｓ９５）、主同期スロットで着信停止の報知を行い（Ｓ９６）、応答通知を受信したスロットに対応した制御局送信スロットで応答確認の送信を行い（Ｓ９７）、音声パスを接続し、それ以後、電話回線５より入力された発信者の音声が回線インタフェース部３０１、音声回路３０２、フレーム処理部３０６、無線部３０７を介してドアホン親機２ｂへ送信され、ドアホン親機２ｂより受信した信号がフレーム処理部３０６、音声回路３０２、回線インタフェース部３０１を介して電話回線５へ出力される。図１０の例では、Ｓ９７以降のスロット３にて、電話回線５、即ち、発信者からの音声信号が送信され、スロット７にてドアホン親機２ｂからの音声信号受信がされ、電話回線５に出力される。
【０１３０】
又、コードレス電話子機４は、主同期スロットで着信停止の報知を受信すると、外線着信の報知を停止する（Ｓ９８）。
【０１３１】
次に、外線着信と玄関子機からの呼出が同時に発生した時の動作を説明する。
【０１３２】
先ず、外線着信中にドアホンの呼出が発生した場合の動作を説明する。
【０１３３】
外線着信が発生すると、上述の図１０の（Ｓ７０）、（Ｓ７１）、（Ｓ７２）で説明したよう、コードレス電話装置３より、主同期スロットにて外線着信が報知されると、ドアホン親機２ｂは、副同期スロットの送信を継続したまま外線着信の報知を開始し、コードレス電話子機４は、副同期スロットの受信を継続したまま外線着信の報知を開始する。この状態で、ドアホン親機２ｂの玄関子機２ａの呼び出し検知部１０３が来訪者の呼び出しを検知すると、ドアホン親機２ｂは、報知部２０５の報知内容を外線着信及びドアホン呼出を報知する状態に変更し、上述の図７の（Ｓ２１）、（Ｓ２２）、（Ｓ２３）と同様に副同期スロットにてコードレス電話子機４に呼出信号を送信し、１組の送受信スロットの対を従属局としての動作に切換えコードレス電話装置３へ呼出の通知をおこなう。一方、外線着信を報知していたコードレス電話子機４は、ドアホン親機２ｂより呼出信号を受信すると、報知部４０１の報知内容を外線着信及びドアホン呼出を報知する状態に変更する。同様に、外線着信を報知していたコードレス電話装置３は、ドアホン親機２ｂより呼出信号を受信すると、報知部３１２の報知内容を外線着信及びドアホン呼出を報知する状態に変更する。
【０１３４】
次に、ドアホンの呼出中に外線着信が発生した場合の動作を説明する。
【０１３５】
ドアホン親機２ｂの玄関子機２ａの呼び出し検知部１０３が来訪者の呼び出しを検知し、ドアホンの呼出が発生すると、上述の図７の（Ｓ２１）、（Ｓ２２）、（Ｓ２３）で説明したよう、ドアホン親機２ｂは、報知部２０５にてドアホン呼出を報知し、主同期スロットの受信を継続したまま、副同期スロットにてコードレス電話子機４に呼出信号を送信し、１組の送受信スロットの対を従属局としての動作に切換えコードレス電話装置３へ呼出の通知をおこなう。そして、コードレス電話子機４は、ドアホン親機２ｂより呼出信号を受信すると、報知部４０１の報知内容をドアホン呼出を報知する状態に変更する。同様に、コードレス電話装置３は、ドアホン親機２ｂより呼出信号を受信すると、報知部３１２の報知内容をドアホン呼出を報知する状態に変更する。この状態で、コードレス電話装置３が外線着信を検知すると、コードレス電話装置３は、報知部３１２の報知内容を外線着信及びドアホン呼出を報知する状態に変更し、上述の図１０の（Ｓ７０）、（Ｓ７１）、（Ｓ７２）と同様に主同期スロットにてドアホン親機２ｂとコードレス電話子機４に外線着信を報知する。一方、ドアホン呼出を報知していたコードレス電話子機４は、コードレス電話装置３より外線着信の報知を受信すると、報知部４０１の報知内容を外線着信及びドアホン呼出を報知する状態に変更する。同様に、ドアホン呼出を報知していたドアホン親機２ｂは、コードレス電話装置３より外線着信の報知を受信すると、報知部２０５の報知内容を外線着信及びドアホン呼出を報知する状態に変更する。
【０１３６】
次に、外線通話中にドアホンの呼出が発生した時の動作を説明する。
【０１３７】
先ず、コードレス電話子機４で外線通話を行っているときに、ドアホンの呼出が発生した時の動作を説明する。
【０１３８】
コードレス電話子機４が外線着信に応答し、コードレス電話子機４と発信者が通話を行うまでの動作は、上述の図１０を用いた説明と同様であり、コードレス電話子機４が外線通話を行っている状態では、コードレス電話子機４は、副同期スロットの受信を継続しながら、コードレス電話装置３との通信を行っている。この状態で、ドアホン親機２ｂの玄関子機２ａの呼び出し検知部１０３が来訪者の呼び出しを検知し、ドアホンの呼出が発生すると、上述の図７の（Ｓ２１）、（Ｓ２２）、（Ｓ２３）で説明したよう、ドアホン親機２ｂは、報知部２０５にてドアホン呼出を報知し、副同期スロットにてコードレス電話子機４に呼出信号を送信し、１組の送受信スロットの対を従属局としての動作に切換えコードレス電話装置３へ呼出の通知をおこなう。そして、コードレス電話子機４は、ドアホン親機２ｂより呼出信号を受信すると、報知部４０１の報知内容をドアホン呼出を報知する状態に変更する。又、コードレス電話子機４は、通話部４０３のスピーカーより、外線通話中の音声に重畳し、或いは、外線通話中の音声を停止しドアホンの呼出を通知する通知音を出力しても良い。コードレス電話子機４で、外線通話中にドアホンの呼出への応答を行う場合、操作部４０９にて外線通話を保留する操作、或いは、外線通話を切断する操作を行い、ドアホン親機２ｂからの呼出に対する応答操作を行う。以後、上述の図９を用いて説明したドアホン呼出にコードレス電話子機４で応答した時の動作と同様にて、ドアホン親機２ｂとコードレス電話子機４が接続される。同様に、コードレス電話子機４で外線通話を行っているときに、ドアホンの呼出が発生した場合、コードレス電話装置３は、ドアホン親機２ｂより呼出信号を受信すると、報知部３１２の報知内容をドアホン呼出を報知する状態に変更する。そして、コードレス電話装置３の操作部３１１でドアホン呼出に対する応答操作が行われると、コードレス電話子機４と外線通話との接続中の処理を継続しながら、上述の図８を用いて説明したドアホン呼出にコードレス電話装置３で応答した時の動作と同様にて、ドアホン親機２ｂとコードレス電話装置３が接続される。
【０１３９】
次に、ドアホンの通信中に外線着信が発生した時の動作を説明する。
【０１４０】
先ず、コードレス電話子機４でドアホンとの通話を行っているときに、外線着信が発生した時の動作を説明する。
【０１４１】
コードレス電話子機４がドアホンの呼出に応答し、コードレス電話子機４と玄関子機２ｂを操作した来訪者が通話を行うまでの動作は、上述の図９を用いた説明と同様であり、コードレス電話子機４がドアホン親機２ｂとの通話を行っている状態では、コードレス電話子機４は、主同期スロットの受信を継続しながら、ドアホン親機２ｂとの通信を行っている。この状態で、コードレス電話装置３の着信検知部３０３が外線着信を検知し、外線着信が発生すると、上述の図１０の（Ｓ７０）、（Ｓ７１）、（Ｓ７２）で説明したよう、コードレス電話装置３は、報知部３１２にて外線着信を報知し、主同期スロットにてドアホン親機２ｂとコードレス電話子機４に外線着信の報知を開始する。そして、コードレス電話子機４は、コードレス電話装置３から外線着信の報知を受信すると、報知部４０１の報知内容を外線着信を報知する状態に変更する。又、コードレス電話子機４は、通話部４０３のスピーカーより、ドアホン側との通話中の音声に重畳し、或いは、ドアホン側との通話中の音声を停止し外線着信を通知する通知音を出力しても良い。コードレス電話子機４で、ドアホンとの通信中に外線着信への応答を行う場合、操作部４０９にてドアホンとの通信を保留する操作、或いは、ドアホンとの通信を切断する操作を行い、コードレス電話装置３からの外線着信に対する応答操作を行う。以後、上述の図１０を用いて説明した外線着信にコードレス電話子機４で応答した時の動作と同様にて、コードレス電話装置３とコードレス電話子機４が接続される。同様に、コードレス電話子機４でドアホンの通信中に、外線着信が発生した場合、コードレス電話装置３は、報知部３１２の報知内容を外線着信を報知する状態に変更する。そして、コードレス電話装置３の操作部３１１で外線着信に対する応答操作が行われると、報知部３１２の外線着信の報知を停止し、回線インタフェース部３０１、音声回路３０２、通話部３１３を介して発信者とコードレス電話装置３の使用者との通話を開始するように動作する。
【０１４２】
次に、コードレス電話装置３とドアホン装置２との登録操作の説明を行う。
【０１４３】
ドアホン装置２は、コードレス電話装置３の従属局として動作するため、相互にお互いの識別情報（ＩＤ）を記憶保持する必要がある。ドアホン装置２の操作部２１１にて登録動作を起動する操作が行われると、制御部２１４は登録動作の制御を開始する。ドアホン装置２で登録動作が起動されると、ドアホン親機２ｂは、先ず連続受信を起動し、コードレス電話装置３が送信する制御信号を受信すると、連続受信を停止し、制御信号に含まれるスロット番号等の情報を元にコードレス電話親機３とのフレーム、スロットの同期を確立する。そして、コードレス電話装置３からの制御信号を受信したスロットを除いて、１組の送受信スロットを選択し、選択したスロットを従属局として動作させ、選択した送信スロット、即ち、コードレス電話装置３の待ち受けスロットでコードレス電話装置３にドアホンＩＤ記憶部２１６に記憶された自装置の識別情報を含んだ登録要求を送信し、登録受付の受信に待機する。そして、登録受付を受信すると、電話親機ＩＤ記憶部２１５に登録受付に含まれるコードレス電話装置３の識別情報を記憶し、副制御局としての動作を開始する。尚、ドアホン装置２は、登録要求送信後、一定時間受信を継続しても登録受付を受信できない場合、或いは、登録不可を受信した場合、通信中のコードレス電話装置３との送受信を停止し、再度連続受信を行い他のコードレス電話装置３への登録動作を行う。
【０１４４】
一方、コードレス電話装置３の操作部３１１にて登録動作を起動する操作が行われると、制御部３２０は登録動作の制御を開始し、一定時間、ドアホン装置２からの登録要求を受け付けるよう動作する。コードレス電話装置３のドアホン装置２からの登録要求を受付可能な状態で、ドアホン装置２からの登録要求を受信すると、登録要求を受け付けたスロットに対応した制御局送信スロットにて電話親機ＩＤ記憶部３０５に記憶された自装置の識別情報を含んだ登録受付を送信すると共に、登録要求に含まれた識別情報、即ち、送信元のドアホン装置２の識別情報をドアホンＩＤ記憶部３１０に記憶する。又、コードレス電話装置３は、コードレス電話装置３のドアホン装置２からの登録要求を受付不可の状態で、ドアホン装置２からの登録要求を受信すると、登録要求を受け付けたスロットに対応した制御局送信スロットにて登録不可を送信する。
【０１４５】
次に、ドアホン装置２が主制御局と同等の動作をする場合について説明を行う。
【０１４６】
ドアホン装置２は、電源投入時、即ち、動作開始時に電話親機ＩＤ記憶部２１５に記憶された識別情報が未設定（例えば、識別情報がＡＬＬ０）の場合、副制御局としての動作を行わず、自己のタイミングで時分割通信のフレーム、スロットのタイミングを決定し、制御局送信スロットの１つを選択して、制御信号を送信すると共に、制御信号を送信するスロットに対応したスロットを除く制御局受信スロットを待ち受けスロットとして従属局、即ち、コードレス電話子機４からの無線信号の待ち受けを行う。
【０１４７】
又、ドアホン装置２は、電源投入時、即ち、動作開始時に電話親機ＩＤ記憶部２１５に記憶された識別情報が設定されていた場合、上述の図６の（Ｓ３）で説明したよう、電話親機ＩＤ記憶部２１５に記憶されたコードレス電話装置３のサーチを行うが、一定時間、連続受信を継続しても電話親機ＩＤ記憶部２１５に記憶されたコードレス電話装置３の制御信号を受信できなかった場合、連続受信を停止し、上記同様に、自己のタイミングで時分割通信のフレーム、スロットのタイミングを決定し、制御局送信スロットの１つを選択して、制御信号を送信すると共に、制御信号を送信するスロットに対応したスロットを除く制御局受信スロットを待ち受けスロットとして従属局、即ち、コードレス電話子機４からの無線信号の待ち受けを行う。
【０１４８】
又、ドアホン装置２は、電話親機ＩＤ記憶部２１５に記憶されたコードレス電話装置３の主同期スロットを受信して副制御局として動作開始後、一定時間、主同期スロットの受信を失敗した場合、自装置を再起動し電源投入時のコードレス電話装置３のサーチを再起動する。
【０１４９】
次に、ドアホン呼出、通話時に、来訪者の映像を送受信する方法について説明を行う。
【０１５０】
ドアホン装置２の玄関子機２ａの呼び出し検知部１０３が呼出を検知した場合、カメラ部１０１で撮影した画像を送信し、ドアホン親機２ｂのモニタ２０２、コードレス電話装置３の報知部３１２、コードレス電話子機４のモニタ４１４で来訪者の画像を表示するよう動作しても良い。
【０１５１】
ドアホン装置２の玄関子機２ｂの呼び出し検知部１０３が呼出を検知すると、制御部２１４は、カメラ部１０１を起動し、来訪者の撮影を開始する。カメラ部１０１で撮影された画像は、多重分離回路１０４を介し、ドアホン親機２ｂへ出力され、多重分離回路２２０を介してモニタ回路２０１へ出力される。モニタ回路２０１では、玄関子機２ａから送られてきた画像をモニタ２０２に出力し、モニタ２０２で玄関子機２ａから送られてきた画像を表示する。又、モニタ回路２０１は、玄関子機２ａから送られてきた画像を画像情報記憶部２０３に出力する。画像情報記憶部２０３は、入力された画像を制御部２１４から指示されたタイミングでＪＰＥＧ画像等のデジタル画像に変換し、その画像情報を記憶する。一方、制御部２１４は、ドアホン装置２の玄関子機２ｂの呼び出し検知部１０３が呼出を検知すると、上述の図７の説明のようにコードレス電話装置３とコードレス電話子機４にドアホン側からの呼出を報知し、コードレス電話装置３とコードレス電話子機４でドアホンの呼出が報知されるが、この時、コードレス電話装置３とコードレス電話子機４のドアホンの呼出を通知すると共に画像情報記憶部２０３に記憶した玄関子機２ａからの映像データをデジタル化した画像情報（以下デジタル画像と呼ぶ）を送信し、コードレス電話装置３の報知部３１２とコードレス電話子機４のモニタ４１４にドアホン親機２ｂより受信した玄関子機２ａからの映像データをデジタル化した画像情報を表示するように動作を行う。
【０１５２】
先ず、ドアホン親機２ａからコードレス電話子機４へ画像情報を送信する動作を説明する。制御部２１４は、画像情報記憶部２０３に記憶した玄関子機２ａからの映像データをデジタル化したデジタル画像を、コードレス電話子機４に副同期スロットを用いて送信する。制御部２１４は、来訪者の呼び出しを検知すると、副同期スロットにて図５に示す制御データフィールドと情報データフィールドの両方を持つフォーマットを利用し、制御データフィールドにドアホン呼出を通知する呼出信号をのせて、コードレス電話子機４に呼出信号を送信する。そして、制御部２１４は、カメラ部１０１を起動し、画像情報記憶部２０３に画像の変換を指示する。そして制御部２１４は、画像情報記憶部２０３で変換されたデジタル画像を読み込み、副同期スロットの情報データフィールドで送信するよう副同期スロットの送信タイミングに合わせてデジタル画像をフレーム処理部２０９に出力する。フレーム処理部２０９では、デジタル画像を副同期スロットの情報データフィールドに設定し、情報データフィールドのチェックコードＣＲＣ２を付加し、同期信号、制御フィールド、制御データフィールドのチェックコードＣＲＣ１と共に、無線部２１０に出力し、無線部２１０より、副同期スロットにて情報データフィールドにデジタル画像情報を設定した無線信号が送信される。尚、制御部２１４は、画像情報記憶部２０３で変換、記憶されていた１画面分のデジタル画像の送信を完了すると、再度、画像情報記憶部２０３に画像の変換を指示し、デジタル画像を更新するよう制御し、更新されたデジタル画像を順次読み込み送信を継続する。
【０１５３】
一方、コードレス電話子機４は、待機状態において副同期スロットの受信を行っており、副同期スロットにてドアホン呼出の報知を受信すると、ドアホンの呼出を報知部４０１より、例えばピンポンという報知音を鳴らして使用者に通知する。そして、ドアホン親機２ｂより送られてきたデジタル画像、即ち、玄関子機２ａのカメラ部１０１で撮影された来訪者の画像をモニタ４１４に表示する。即ち、制御部４１０は、副同期スロットの制御フィールドにてドアホン呼出を通知する呼出信号を受信すると、副同期スロットの情報フィールドとＣＲＣ２を受信するよう無線部４０７、フレーム処理部４０６を制御する。フレーム処理部４０６は、副同期スロットにおいて受信復調された復調データより、同期信号を元に、情報フィールド及びＣＲＣ２を分離し、ＣＲＣ２をもとに受信エラーの検出を行い、正しく受信されていた場合、受信した情報フィールドのデータを制御部４１０に出力する。そして、制御部４１０は、受信した情報フィールドのデータをデコードし元の画像に変換し、モニタ回路４０４に出力し、モニタ４１４に画像が表示される。尚、制御部４１０において受信したデジタル画像のデータをデコードする場合、受信エラーが発生しデジタル画像の情報の一部が欠落していた時は、欠落したデータ部分に対応する画像を白く表示するよう画像データをデコードし、画像の一部がかけた１枚の画像を生成し、表示するよう制御を行う。
【０１５４】
次に、ドアホン親機２ａからコードレス電話装置３へ画像情報を送信する動作を説明する。制御部２１４は、上記説明の制御を行い、カメラ部１０１で撮影された画像をコードレス電話子機４に副同期スロットを用いて送信しながら、コードレス電話装置３へドアホンの呼出を通知するために起動した無線スロットを用いてカメラ部１０１で撮影された画像を送信する。ドアホン親機２ａとコードレス電話装置３は、来訪者の呼び出しを検知すると、上述した図７の（Ｓ２２）、（Ｓ２３）、（Ｓ２４）、（Ｓ２５）の制御により、相互の無線通信が開始され、ドアホン親機２ａからコードレス電話装置３へドアホンの呼出が通知される。この時、図５に示す制御データフィールドと情報データフィールドの両方を持つフォーマットを利用し、制御データフィールドにドアホン呼出を通知する呼出信号をのせて、コードレス電話装置３に呼出信号を送信し、情報データフィールドに画像情報記憶部２０３に記憶保持されているデジタル画像をのせてコードレス電話装置３にカメラ部１０１で撮影された画像を送信する。即ち、制御部２１４は、ドアホンの呼出を通知する為のドアホン親機２ａとコードレス電話装置３間の無線リンクを確立し、相互の無線通信が開始されると、画像情報記憶部２０３で変換されたデジタル画像を読み込み、その通信スロットの情報データフィールドで送信するよう該当スロットの送信タイミングに合わせてデジタル画像をフレーム処理部２０９に出力する。フレーム処理部２０９では、デジタル画像を該当スロットの情報データフィールドに設定し、情報データフィールドのチェックコードＣＲＣ２を付加し、同期信号、制御フィールド、制御データフィールドのチェックコードＣＲＣ１と共に、無線部２１０に出力し、無線部２１０より、副同期スロットにて情報データフィールドにデジタル画像情報を設定した無線信号が送信される。尚、コードレス電話装置３に送信するデジタル画像はコードレス電話子機４に送信するデジタル画像と同じものでもよい。同一のデジタル画像を送信する場合、制御部２１４は、副同期スロットとコードレス電話装置３への送信スロットのタイミングに合わせて、画像情報記憶部２０３に記憶されたデジタル画像を読み込み、フレーム処理部２０９に出力する。そして、制御部２１４は、画像情報記憶部２０３で変換、記憶されていた１画面分のデジタル画像をコードレス電話装置３とコードレス電話子機４の双方への送信を完了すると、再度、画像情報記憶部２０３に画像の変換を指示し、デジタル画像を更新するよう制御し、更新されたデジタル画像を順次読み込み送信を継続する。
【０１５５】
一方、コードレス電話装置３は、待機状態において待ち受けスロットの受信を行っており、待ち受けスロットにてドアホン呼出の報知を受信し、コードレス電話装置３との無線リンクを確立すると、ドアホンの呼出を報知部３１２より、例えばピンポンという報知音を鳴らして使用者に通知する。そして、ドアホン親機２ｂより送られてきたデジタル画像、即ち、玄関子機２ａのカメラ部１０１で撮影された来訪者の画像をモニタ３１５に表示する。即ち、制御部３２０は、待ち受けスロットの制御フィールドにてドアホン呼出を通知する呼出信号を受信すると、ドアホン呼出を受信した待ち受けスロット（以下通信スロットと呼ぶ）の情報フィールドとＣＲＣ２を受信するよう無線部３０７、フレーム処理部３０６を制御し、コードレス電話装置３との無線リンクを確立するよう動作を開始する。フレーム処理部３０６は、通信スロットにおいて受信復調された復調データより、同期信号を元に、情報フィールド及びＣＲＣ２を分離し、ＣＲＣ２をもとに受信エラーの検出を行い、正しく受信されていた場合、受信した情報フィールドのデータを制御部３２０に出力する。そして、制御部３２０は、受信した情報フィールドのデータをデコードし元の画像に変換し、モニタ回路３１４に出力し、モニタ３１５に画像が表示される。尚、制御部３２００において受信したデジタル画像のデータをデコードする場合、受信エラーが発生しデジタル画像の情報の一部が欠落していた時は、欠落したデータ部分に対応する画像を白く表示するよう画像データをデコードし、画像の一部がかけた１枚の画像を生成し、表示するよう制御を行う。
【０１５６】
以上、本発明の実施の形態について説明してきたが、本発明は前記実施の形態に限定されるものではない。
【０１５７】
本実施の形態では、コードレス電話装置を主制御局、ドアホン装置を副制御局とした場合の例を示したが、コードレス電話装置を副制御局、ドアホン装置を主制御局としても良い。
【０１５８】
又、本実施の形態では副制御局としてドアホン装置のドアホン親機を１台だけ備えたものであったが、例えば、二世代住宅のように２台以上のドアホン装置を備えていもよい。その場合には副制御局が２台以上となるので、制御情報を送信する副同期スロットがそれぞれが重ならないように、主同期スロットを除いた送信スロットの中でそれぞれの副制御局に対して副同期スロットを割り当てることで無線子機は主制御局と全ての副制御局との通信が可能となる。
【０１５９】
又、本実施の形態では従属局として無線子機を１台だけ備えたものであったが、複数の無線子機を備えていもよい。
【０１６０】
又、本実施の形態では従属局として動作する無線子機は、制御局として動作するコードレス電話装置とドアホン装置の両方の受信を行う例を示したが、いずれか一方のみを持ち受けるように動作しても良い。例えば、コードレス電話装置が主制御局、ドアホン装置が副制御局として動作し、無線子機は主同期スロットのみの受信を行いコードレス電話装置の制御信号の受信を行い、ドアホンの呼出が発生した場合、実施の形態と同様にしてドアホン装置よりコードレス電話装置にドアホンの呼出を通知し、ドアホン装置より主同期スロットにてドアホンの呼出を通知することにより、主同期スロットのみの受信を行う無線子機に対してドアホンの呼出を通知する。又、同様に、コードレス電話装置が主制御局、ドアホン装置が副制御局として動作し、無線子機は副同期スロットのみの受信を行いドアホン装置の制御信号の受信を行い、外線着信が発生した場合、実施の形態と同様にして、コードレス電話装置は主同期スロットにて外線着信を報知し、ドアホン装置は、主同期スロットにて外線着信の報知を受信すると、副同期スロットにて外線着信の報知をすることにより、副同期スロットのみの受信を行う無線子機に対して外線着信を通知する。尚、このように無線子機が一方の同期スロットのみを受信する場合、他方からの呼出（外線着信、ドアホン呼出）を待ち受け中の制御局より通知され、無線子機にて呼出に対する応答操作が行われた場合、無線子機では、従属局の受信スロットで他方の制御信号を一端受信し、呼出元と直接無線リンクを確立し、応答処理を行なう。
【産業上の利用可能性】
【０１６１】
本発明は、副制御局が制御局としての動作と従属局としての動作を行うことにより、コードレス電話、無線ドアホン、無線子機が相互に無線信号で接続され、無線干渉による通話品質の低下や無線リソースの不足を低減できるので、制御局と従属局とが時分割多重で通信を行うコードレス電話と無線ドアホンからなる無線通信システムに好適である。
【図面の簡単な説明】
【０１６２】
【図１】本発明の実施の形態に係る無線通信システムの構成を示す図
【図２】本発明の実施の形態に係るドアホン装置の構成を説明する図
【図３】本発明の実施の形態に係るコードレス電話装置のコードレス電話親機の構成を説明する図
【図４】本発明の実施の形態に係るコードレス電話装置のコードレス電話子機の構成を説明する図
【図５】パケットデータのフォーマットを説明する図
【図６】本発明の実施の形態に係る無線通信システムにおいて通信を行う際の送信スロットおよび受信スロットの状態を説明する図
【図７】本発明の実施の形態に係る無線通信システムにおいて通信を行う際の送信スロットおよび受信スロットの状態を説明する図
【図８】本発明の実施の形態に係る無線通信システムにおいて通信を行う際の送信スロットおよび受信スロットの状態を説明する図
【図９】本発明の実施の形態に係る無線通信システムにおいて通信を行う際の送信スロットおよび受信スロットの状態を説明する図
【図１０】本発明の実施の形態に係る無線通信システムにおいて通信を行う際の送信スロットおよび受信スロットの状態を説明する図
【図１１】本発明の実施の形態に係る無線通信システムにおいて通信を行う際の送信スロットおよび受信スロットの状態を説明する図
【符号の説明】
【０１６３】
１    無線通信システム
２    ドアホン装置
２ａ    玄関子機
２ｂ    ドアホン親機
３    コードレス電話装置
４    コードレス電話子機
５    電話回線
１０１    カメラ部
１０２    通話部
１０３    呼び出し検知部
１０４    多重分離回路
２０１    モニタ回路
２０２    モニタ
２０３    画像情報記憶部
２０４    呼び出し検知部
２０５    報知部
２０６    音声回路
２０７    通話部
２０８    同期処理部
２０９    フレーム処理部
２１０    無線部
２１１    操作部
２１３    アンテナ
２１４    制御部
２１５    電話親機ＩＤ記憶部
２１６    ドアホンＩＤ記憶部
２１７    子機ＩＤ記憶部
２２０    多重分離回路
３０１    回線インタフェース部
３０２    音声回路
３０３    着信検知部
３０４    子機ＩＤ記憶部
３０５    電話親機ＩＤ記憶部
３０６    フレーム処理部
３０７    無線部
３０８    アンテナ
３１０    ドアホンＩＤ記憶部
３１１    操作部
３１２    報知部
３１３    通話部
３１４    モニタ回路
３１５    モニタ
３２０    制御部
４０１    報知部
４０２    音声回路
４０３    通話部
４０４    モニタ回路
４０５    同期処理部
４０６    フレーム処理部
４０７    無線部
４０８    アンテナ
４０９    操作部
４１０    制御部
４１１    子機ＩＤ記憶部
４１２    電話親機ＩＤ記憶部
４１３    ドアホンＩＤ記憶部
４１４    モニタ
【図１】
0004687281.tif 000002
【図２】
0004687281.tif 000003
【図３】
0004687281.tif 000004
【図４】
0004687281.tif 000005
【図５】
0004687281.tif 000006
【図６】
0004687281.tif 000007
【図７】
0004687281.tif 000008
【図８】
0004687281.tif 000009
【図９】
0004687281.tif 000010
【図１０】
0004687281.tif 000011
【図１１】
0004687281.tif 000012